(57)【特許請求の範囲】
【請求項１】
物体から順に、正のパワーを持つ第１レンズ群、負のパワーを持つ第２レンズ群、正のパワーを持つ第３レンズ群の少なくとも３つのレンズ群で構成され、低倍側から高倍側へ変倍する際に、前記第１レンズ群と前記第２レンズ群の間隔が大きくなり、前記第２レンズ群と前記第３レンズ群の間隔が小さくなるように、前記第２レンズ群と前記第３レンズ群が光軸上を移動し、前記第２レンズ群は２つのレンズ群を少なくとも有し、該２つのレンズ群は互いに凹面を向けて構成され、前記第１レンズ群の焦点距離をＦ１、前記第２レンズ群の焦点距離をＦ２、前記第３レンズ群の焦点距離をＦ３としたとき、以下の条件（６）、（７）を満足し、物体側にテレセントリックであることを特徴とする顕微鏡ズーム対物レンズ。
−２．５≦Ｆ１／Ｆ２≦―０．２                        ・・・（６）
−７．５≦Ｆ３／Ｆ２≦−１．５                        ・・・（７）
【請求項２】
前記第１レンズ群の最も物体側のレンズ群が物体側に凹面を向けた接合メニスカスレンズであって、前記接合レンズは、物体側から凹レンズ、凸レンズで構成されることを特徴とする請求項１記載の顕微鏡ズーム対物レンズ。
【請求項３】
以下の条件（２）、（３）を満足することを特徴とする請求項１又は２記載の顕微鏡ズーム対物レンズ。
０．２５≦Ｄ１／Ｄ０≦０．７                          ・・・（２）
０．０５≦Ｄ２／Ｄ０≦０．５                          ・・・（３）
ただし、Ｄ１は、前記第１レンズ群の全長、
Ｄ２は、前記第２レンズ群の低倍側から高倍側への移動量、
Ｄ０は、高倍側の顕微鏡ズーム対物レンズの全長、
である。
【請求項４】
前記顕微鏡ズーム対物レンズは３群構成であって、低倍から高倍へと変倍する際に、作動距離が短くなるように、前記第１レンズ群は前記第２レンズ群とは反対方向へ光軸に沿って移動することを特徴とする請求項１から３の何れか１項記載の顕微鏡ズーム対物レンズ。
【請求項５】
前記第１レンズ群と物体の間隔をＷＤ、前記第１レンズ群の焦点距離をＦ1 としたとき、以下の条件（１５）を満足することを特徴とする請求項１から４の何れか１項記載の顕微鏡ズーム対物レンズ。
ＷＤ≦０．２５Ｆ1                                   ・・・（１５）
【請求項６】
前記第２レンズ群は、少なくとも１つの正レンズと負レンズで構成された接合メニスカスレンズを備え、前記正レンズの屈折率をＮ２Ｐ、アッベ数をν２Ｐ、前記負レンズのアッベ数をν２Ｎとしたとき、以下の条件（１６）、（１７）を満足することを特徴とする請求項５記載の顕微鏡ズーム対物レンズ。
Ｎ２Ｐ≧１．６５                                    ・・・（１６）
ν２Ｎ−ν２Ｐ≧２０                                ・・・（１７）
【請求項７】
前記顕微鏡ズーム対物レンズの最も像側にあるレンズ群の像側に最も近い面から物体までの距離をＬとするとき、以下の条件（２１）を満足することを特徴とする請求項６記載の顕微鏡ズーム対物レンズ。
５５≦Ｌ≦１１０  （ｍｍ）                          ・・・（２１）
【請求項８】
以下の条件（８）を満足することを特徴とする請求項１から３の何れか１項記載の顕微鏡ズーム対物レンズ。
０＜ＦＢ1 ／Ｄ1 ≦０．４                              ・・・（８）
ただし、ＦＢ1 は、前記第１レンズ群の前記第２レンズ群側に最も近いレンズ面から、前記第１レンズ群の後側焦点位置までの距離である。
【請求項９】
前記第１レンズ群の後側焦点位置近傍に、開口絞りを備えていることを特徴とする請求項８記載の顕微鏡ズーム対物レンズ。
【発明の詳細な説明】
【技術分野】
【０００１】
本発明は、顕微鏡ズーム対物レンズに関し、特に、３倍以上の変倍比を持つ顕微鏡ズーム対物レンズに関するものである。
【背景技術】
【０００２】
顕微鏡用の対物レンズは、主に１倍付近から１００倍前後の倍率範囲で、作動距離や開口数（ＮＡ）等が設定されている。そして、観察方法に応じて位相差や蛍光観察に能力を発揮するもの等、様々な種類の対物レンズが用意されている。また、例えば、高い開口数を持つ１００倍前後の対物レンズには、油浸対物レンズや補正環付き対物レンズ等がある。この中、補正環付き対物レンズは、カバーグラスの厚みに対応して対物レンズ内のレンズ（あるいはレンズ群）を移動することによって、収差を補正する対物レンズである。
【０００３】
補正環付き対物レンズの一例として、特許文献１に開示された構成がある。補正環付き対物レンズは、高倍、高開口数の対物レンズに多くみられる。このような高倍、高開口数の対物レンズでは、カバーグラスの厚さのばらつきによって収差が悪化する。そこで、対物レンズ内の所定のレンズ群を光軸に沿って移動させることで、主に球面収差の補正が行えるようにしている。
【０００４】
ところで、顕微鏡の観察倍率を変化させる方法としては、対物レンズの後方に中間変倍光学系を配置して、観察光軸に対して中間変倍光学系を挿脱する方法がある。この方法では、２つの異なる観察倍率を得ることができる。また、別の方法としては、結像レンズとズームレンズを組み合わせた方法があり、例えば特許文献２に開示されている。この公報には、対物レンズの後方にズーム式の結像レンズを配置した構成が開示されている。
【０００５】
また、特許文献３や特許文献４や特許文献５では、対物レンズの後方にズームレンズを組み合わせたものが提案されている。
【０００６】
また、実体顕微鏡では、顕微鏡に比べて倍率は低く開口数は劣るが、作動距離の長い対物レンズとズーム変倍を組み合わせることで操作性や立体感に優れたものがある。
【特許文献１】特開平１−３０７７１７号公報
【特許文献２】特開平６−１８７８４号公報
【特許文献３】米国特許第３，６７１，０９９号明細書
【特許文献４】米国特許第３，４５６，９９８号明細書
【特許文献５】米国特許第３，４２１，８０７号明細書
【発明の開示】
【発明が解決しようとする課題】
【０００７】
顕微鏡の対物レンズは、複数の対物レンズを倍率に応じて適宜切り換えて観察を行っている。それぞれの対物レンズで光軸のずれがある場合には、低倍率の観察から高倍率の切り換えに伴い、観察中心のずれを調整するためにステージを操作しなければならない。また、それぞれの対物レンズで同焦距離に違いがあると、作動距離を調整するために準焦ハンドルを操作する必要がある。また、それぞれの倍率に応じて対物レンズを揃える必要があり、コスト的にも高くなってしまう。
【０００８】
また、補正環付き対物レンズにおけるレンズ群の移動は、主に球面収差の補正を行うためのものである。したがって、レンズ群の移動量もわずかであるので、観察倍率はほとんど変化しない。
【０００９】
また、対物レンズの後方に中間変倍ユニットを配置した場合には、変倍によって観察倍率が高くなったとしても、開口数が変わらないために、解像力が向上しない問題点がある。また、対物レンズと結像レンズ間に変倍部を設けるために、光学系の全長が長くなるという問題がある。そのため、顕微鏡システムをコンパクトに構成することができない。また、射出瞳の位置が、変倍に伴って大きく変化するという問題がある。
【００１０】
また、特許文献２に提案の対物レンズのように、対物レンズの後方にズーム式の結像レンズを配置する場合には、視野数が小さく通常の対物レンズに比べて収差性能で劣る。また、ズームレンズ部の全長が長く、コンパクトさやシステム性に欠ける面がある。
【００１１】
また、特許文献３〜５では、対物レンズの後方にズームレンズを組み合わせたものが提案されている。しかしながら、現在の対物レンズと光学性能を比較すると、色収差性能や球面収差や像面平坦性等の収差性能、及び、開口数や視野数といった仕様の点で劣っている。このため、現在の市場のニーズを満足するような光学性能とは言えない。
【００１２】
一方、実体顕微鏡は、顕微鏡に比べて倍率が低く、さらに、開口数がかなり小さい。例えば倍率が１０倍では、顕微鏡では開口数が０．２５から０．４と高いのに対して、実体顕微鏡では約０．１と低い。したがって、細胞等の観察では見えの差は明らかである。つまり、実体顕微鏡は、見えの点において顕微鏡の対物レンズにはかなわない。しかも、実体顕微鏡等のアフォーカルズームは、射出瞳位置の変動が大きく、照明光学系ユニットや撮影光学系ユニットを組み込む場合には、システム上の制限事項がある。
【００１３】
さらに、従来の方法による倍率の変倍では、射出瞳位置の変動が大きいので、ケラレや周辺減光等の性能の劣化や、同軸落射照明光学系等のケラレ、あるいは、撮影光学系側のシステム上の制限事項があった。
【００１４】
このように、これまで提案された光学系は、顕微鏡の対物レンズと同等の開口数と光学性能を備え、対物レンズを切り換えることなく倍率変換に応じて開口数が大きくなる光学系で、かつ、コンパクトな構成であるとは言えなかった。
【００１５】
本発明は従来技術のこのような問題点に鑑みてなされたものであり、その目的は、光学性能が良好で光学系がコンパクトに構成され、ズーム変倍比が３倍以上の顕微鏡ズーム対物レンズを提供することである。また、倍率の変化に応じて開口数が変化する顕微鏡ズーム対物レンズを提供することである。また、射出瞳位置が略一定に保たれた（射出瞳位置の変動が抑えられた）顕微鏡ズーム対物レンズを提供することである。
【課題を解決するための手段】
【００１６】
一般的に、顕微鏡の対物レンズは細かい構造を観察することを目的とする。そのため、本発明の顕微鏡ズーム対物レンズにおいても、高倍側での光学性能を良好に補正する必要がある。特に、高倍側での球面収差と色収差を良好に補正することが必須である。また、ズーム変倍時の射出瞳位置の変動を抑える必要がある。
【００１７】
そこで、第１の発明の顕微鏡ズーム対物レンズは、物体から順に、正のパワーを持つ第１レンズ群、負のパワーを持つ第２レンズ群、正のパワーを持つ第３レンズ群の少なくとも３つのレンズ群で構成され、低倍側から高倍側へ変倍する際に、前記第１レンズ群と前記第２レンズ群の間隔が大きくなり、前記第２レンズ群と前記第３レンズ群の間隔が小さくなるように、前記第２レンズ群と前記第３レンズ群が光軸上を移動し、第１レンズ群中に正レンズと負レンズで構成された正のパワーを持つ接合レンズを少なくとも１つ備え、前記正レンズのアッベ数をνとしたとき、前記正レンズが以下の条件（１）を満足することを特徴とする。
【００１８】
ν＞８０                                              ・・・（１）
第１の発明の構成における各レンズ群の作用を説明する。なお、ここでの各レンズ群についての説明は、本発明の顕微鏡ズーム対物レンズにおけるレンズ系の基本構成に関わる説明である。したがって、各レンズ群の作用については、後述の第２乃至第５の発明、及び第２３の発明においても同様である。また、本発明の顕微鏡ズーム対物レンズにおけるレンズ系は、少なくとも３つのレンズ群で構成されるものであるが、３つのレンズ群、あるいは４つのレンズ群で構成するのが好ましい。
【００１９】
第１の発明の構成において、正のパワーを持つ第１レンズ群は、物体からの光束を集光する。負のパワーを持つ第２レンズ群は、光軸上を移動することによって主に変倍を行う。レンズ系が３つのレンズ群で構成される場合（以下、３群構成とする。）、第３レンズ群は最終レンズ群になる。この第３レンズ群は正のパワーを持ち、光軸上を移動して各ズーム状態の像面の位置を所定の位置に一致させる作用をする。
【００２０】
なお、レンズ系が４つのレンズ群で構成される場合（以下、４群構成とする。）は、第４レンズ群が最終レンズ群になる。この第４レンズ群は負のパワーとするのがよい。そして、この第４レンズ群も光軸に沿って移動させれば、各ズーム状態における像面位置を所定の位置に一致させることができる。また、射出瞳位置についても、所定の位置に略一致させることができる。
【００２１】
最終レンズ群から射出された光束は、どのズーム状態においても無限遠光束となる。そして、最終レンズ群の後方に配置された結像レンズによって標本の像が形成され、接眼レンズによって像の観察が行われる。
【００２２】
次に、各レンズ群の動きと光線の様子について、高倍側と低倍側で説明する。  高倍側では、第１レンズ群と第２レンズ群の間隔が大きくなり、第２レンズ群と第３レンズ群の間隔が小さくなるように、第２レンズ群と第３レンズ群が光軸に沿って移動する。そのため、軸上光線の光線高は、第１レンズ群中で最も高くなり、第１レンズ群の収斂作用によって第２レンズ群中で低くなる。そして、第２レンズ群の発散作用によって、軸上光線は光線高が上がって第３レンズ群に入射する。ここで、レンズ系が３群構成の場合は、この第３レンズ群の収斂作用によって無限遠光束に変換される。一方、レンズ系が４群構成の場合は、３群構成の第３レンズ群に比べて４群構成の第３レンズ群により強いパワーが与えられる。よって、その収斂作用によって軸上光線高が下げられて第４レンズ群に入射し、第４レンズ群の発散作用によって無限遠光束に変換される。
【００２３】
軸外主光線は、第１レンズ群の後側焦点位置で光軸と交わり、第２レンズ群に入射する。そして、軸外主光線は、第２レンズ群で発散され、第３レンズ群で収斂作用を受けて射出する。レンズ系が３群構成の場合、軸外主光線の光線高は第３レンズ群で高くなる。なお、３つのレンズ群が全て球面レンズのみで構成される場合は、軸外主光線は第２、第３レンズ群で高く、第１レンズ群で低い。一方、非球面レンズを有する構成では、軸外主光線は第３レンズ群で高い。また、第３レンズ群を射出した軸外主光線を延長したときに、その延長した線が光軸と交わる位置に射出瞳が形成される。
【００２４】
一方、レンズ系が４群構成の場合、第３レンズ群で収斂作用を受けて射出した軸外主光線は第４レンズ群に入射する。よって、軸外主光線の光線高は第４レンズ群で最も高くなる。また、第４レンズ群を射出した軸外主光線を延長したときに、その延長した線が光軸と交わる位置に射出瞳が形成される。
【００２５】
高倍側では、３群構成の場合も４群構成の場合も、第１レンズ群の後側焦点位置で軸外主光線が光軸を横切る。そのため、３群構成の場合、軸外主光線の光線高の符号は、第１レンズ群と第２、第３レンズ群とで異なる。また、４群構成の場合、軸外主光線の光線高の符号は、第１レンズ群と第２レンズ群乃至第４レンズ群とで異なる。
【００２６】
一方、低倍側では、第２レンズ群と第１レンズ群の間隔が小さくなり、第２レンズ群と第３レンズ群の間隔が大きくなるように、第２レンズ群と第３レンズ群が光軸に沿って移動する。そのため、軸上光線の光線高は、第２レンズ群の発散作用によって第３レンズ群中で最も高くなる。ここで、レンズ系が３群構成の場合は、第３レンズ群の収斂作用によって無限遠光束に変換される。一方、レンズ系が４群構成の場合は、３群構成の第３レンズ群に比べて、４群構成の第３レンズ群により強いパワーが与えられる。よって、その収斂作用によって軸上光線高が下げられて第４レンズ群に入射し、第４レンズ群の発散作用によって無限遠光束に変換される。
【００２７】
軸外主光線は、レンズ系が３群構成の場合では、次のようになる。３つのレンズ群が全て球面レンズのみで構成される場合は、軸外主光線は第３レンズ群中で最も高くなり、第２レンズ群中で最も低くなる。一方、非球面レンズを有する構成では、軸外主光線は第１、第３レンズ群で高く、第２レンズ群で低い。また、高倍側と同じように、軸外主光線は第１レンズ群の後側焦点位置で光軸と交わる。そのため、軸外主光線の光線高の符号は、第１レンズ群と第２、第３レンズ群とで異なる。
【００２８】
また、レンズ系が４群構成の場合、軸外主光線は、正のパワーの第１レンズ群と負のパワーの第２レンズ群により、第１レンズ群の後側焦点位置よりも第３レンズ群側で光軸を横切り、第３レンズ群に入射する。第３レンズ群に入射した軸外主光線は、収斂作用を受けて第４レンズ群へ入射する。このとき、軸外主光線の光線高が最も高いのは、第１レンズ群である。
【００２９】
このように、レンズ系が４群構成の場合、第１レンズ群の後側焦点位置よりも第３レンズ群側で軸外主光線が光軸を横切る。そのため、軸外主光線の光線高の符号は、第１、第２レンズ群と第３、第４レンズ群とで異なる。
【００３０】
上記の構成において、条件式（１）を満足する場合には、高倍側での軸上色収差を良好に補正することが可能となる。本発明の顕微鏡ズーム対物レンズでは、倍率が高くなる程開口数が大きくなる。これは、高倍率になる程第１レンズ群を通過する軸上光線の光線高が高くなることを意味する。軸上光線の光線高が高いところでは、色収差が発生しやすい。そこで、第１のズーム対物レンズでは、高倍側で軸上光線高が最も高くなるレンズ群に、正パワーを持つ接合レンズを少なくとも１つ配置すると共に、条件式（１）を満足する正レンズを用いることにより、第１レンズ群で色の分散が大きく発生するのを防いでいる。このような構成により、後続する第２レンズや第３レンズ群に、色収差以外の収差を主に補正する役割を持たせることができる。
【００３１】
また、接合レンズの負レンズに異常分散性の硝材を用いることで、さらに色収差補正が良好となる。
【００３２】
条件（１）を満足しない場合には、高倍側の軸上色収差を良好に補正できないか、高倍側での開口数を高くできなくなる。そのため、実用性の高い顕微鏡ズーム対物レンズを実現することが困難になる。
【００３３】
第２の発明の顕微鏡ズーム対物レンズは、物体から順に、正のパワーを持つ第１レンズ群、負のパワーを持つ第２レンズ群、正のパワーを持つ第３レンズ群の少なくとも３つのレンズ群で構成され、低倍側から高倍側へ変倍する際に、前記第１レンズ群と前記第２レンズ群の間隔が大きくなり、前記第２レンズ群と前記第３レンズ群の間隔が小さくなるように、前記第２レンズ群と前記第３レンズ群が光軸上を移動し、前記第２レンズ群は２つのレンズ群を少なくとも有し、該２つのレンズ群は互いに凹面を向けて構成されたことを特徴とする。
【００３４】
この第２の発明の顕微鏡ズーム対物レンズにおいては、第２レンズ群が２つのレンズ群を少なくとも有している。そして、その２つのレンズ群を互いに凹面を向けて配置することにより、ここで強い負のパワーが得られるようにしている。その結果、ペッツバール和を小さくすることができるが、特に、高倍側における像面の平坦性を良好にすることができる。
【００３５】
なお、この２つのレンズ群が互いに凹面を向け合った構成になっていない揚合、一方のレンズ群が正のパワーを持つレンズを含むか、負のパワーのメニスカスレンズになる。正のパワーのレンズを含む場合、第２レンズ群全体の負のパワーが弱くなり、ペッツバール和を小さくすることが困難になる。また、負のパワーのメニスカスレンズの場合、互いに向き合った面の反対側の面の曲率半径が小さくなって、第２レンズ群での軸外収差が悪化してしまう。
【００３６】
第３の発明の顕微鏡ズーム対物レンズは、物体から順に、正のパワーを持つ第１レンズ群、負のパワーを持つ第２レンズ群、正のパワーを持つ第３レンズ群の少なくとも３つのレンズ群で構成され、低倍側から高倍側へ変倍する際に、前記第１レンズ群と前記第２レンズ群の間隔が大きくなり、前記第２レンズ群と前記第３レンズ群の間隔が小さくなるように、前記第２レンズ群と前記第３レンズ群が光軸上を移動し、前記第３レンズ群は２つの以上のレンズ群で構成され、正レンズと負レンズで構成された少なくとも１つの接合レンズを備えたことを特徴とする。
【００３７】
第３の発明の顕微鏡ズーム対物レンズでは、低倍側において、第２レンズ群と第３レンズ群の間隔が大きくなり、第１レンズ群と第２レンズ群の間隔が小さくなる。そのため、第２レンズ群と比べると、第３レンズ群で軸上光線高と軸外主光線高が高くなる。そこで、第３レンズ群を２つ以上のレンズ群で構成し、この中の１つのレンズ群に配置した接合レンズで第１レンズ群と第２レンズ群によって発生した球面収差と色収差を主に補正している。そして、残りのレンズ群でコマ収差、非点収差、歪曲収差を良好に補正している。第３レンズ群の構成が、１つのレンズ群で構成された場合には、低倍側の球面収差、コマ収差、非点収差を良好に補正することが困難となってしまう。
【００３８】
第４の発明の顕微鏡ズーム対物レンズは、物体から順に、正のパワーを持つ第１レンズ群、負のパワーを持つ第２レンズ群、正のパワーを持つ第３レンズ群の少なくとも３つのレンズ群で構成され、低倍側から高倍側へ変倍する際に、前記第１レンズ群と前記第２レンズ群の間隔が大きくなり、前記第２レンズ群と前記第３レンズ群の間隔が小さくなるように、前記第２レンズ群と前記第３レンズ群が光軸上を移動し、前記第１レンズ群の最も物体側のレンズ群が物体側に凹面を向けた接合メニスカスレンズであって、前記接合レンズは、物体側から凹レンズ、凸レンズで構成されたことを特徴とする。
【００３９】
第１レンズ群の最も物体側に配置された接合メニスカスレンズは、物体側から凹レンズ、凸レンズで構成されている。ここで、この接合メニスカスレンズの接合面が負の屈折力を持つため、この接合面で軸上光線の光線高を上げる作用が生じる。そして、光束を後続のレンズ群によって収斂光束へ変換して、第２レンズ群に入射させる。つまり、第１レンズ群内にペッツバール和を抑える効果を持たせて像面平坦性を良好に補正することができる。また、その接合メニスカスレンズは物体側に凹面を向けているので、コマ収差や非点収差等の軸外収差の発生を抑えることができる。そのため、接合メニスカスレンズは、高倍側と低倍側での収差補正に効果的である。
【００４０】
本発明の第５の顕微鏡ズーム対物レンズは、物体から順に、正のパワーを持つ第１レンズ群、負のパワーを持つ第２レンズ群、正のパワーを持つ第３レンズ群の少なくとも３つのレンズ群で構成され、前記第１レンズ群は複数のレンズ群で構成され、低倍側から高倍側へ変倍する際に、前記第１レンズ群と前記第２レンズ群の間隔が大きくなり、前記第２レンズ群と前記第３レンズ群の間隔が小さくなるように前記第２レンズ群と前記第３レンズ群が光軸上を移動し、以下の条件（２）、（３）を満足することを特徴とする。
【００４１】
０．２５≦Ｄ１／Ｄ０≦０．７                          ・・・（２）
０．０５≦Ｄ２／Ｄ０≦０．５                          ・・・（３）
ただし、Ｄ１は、前記第１レンズ群の全長、
Ｄ２は、前記第２レンズ群の低倍側から高倍側への移動量、
Ｄ０は、高倍側の顕微鏡ズーム対物レンズの全長、
である。
【００４２】
ここで、レンズ系が４群構成の場合は、第１レンズ群は接合レンズを含み、低倍側から高倍側へ変倍する際に第４レンズ群も光軸に沿って移動する。そして、条件（２）、（３）の代わりに、次の条件（２’），（３’）を満足する。
【００４３】
０．２５≦Ｄ１／Ｄ０≦０．５                        ・・・（２’）
０．１５≦Ｄ２／Ｄ０≦０．３                        ・・・（３’）
上記の構成において、条件（２’）を満足すると、特に高倍側の光学性能を良好に補正するためのレンズ群を配置するスペースを設けることが可能となる。
【００４４】
また、条件（３’）を満足することで、変倍作用を持つ第２レンズ群が光軸上を移動するスペースを十分に設け、３倍以上の高い変倍比を得ることができる。  条件（２’）の上限の０．５を上回ると、高倍側の収差補正は容易になるが、変倍に伴う第２レンズ群の移動量が少なくなって高い変倍比を得ることができない。条件（２’）の下限の０．２５を下回ると、第１レンズ群の全長が短くなって高倍側の球面収差や軸上色収差を十分に補正することができなくなる。
【００４５】
また、条件（３’）の下限の０．１５を下回ると、第２レンズ群の変倍時の移動量が少なくなる。したがって、高い変倍比を得られない。あるいは、第２レンズ群の負のパワーが強くなって高倍側及び低倍側の収差性能が悪化してしまう。条件（３’）の上限の０．３を上回ると、第２レンズ群の変倍時の移動量が大きくなる。したがって、変倍に伴う像面を補正するための第３レンズ群と第４レンズ群の移動量が極端に少なくなるために、高い変倍比が得られない。
【００４６】
また、第１レンズ群に少なくとも１つの非球面を設ける場合は、凸面を非球面にして、上記条件（２）、（３）の代わりに、次の条件（２），（３”）を満足することが望ましい。
【００４７】
０．２５≦Ｄ１／Ｄ０≦０．７                          ・・・（２）
０．０５≦Ｄ２／Ｄ０≦０．３５                      ・・・（３”）
第１レンズ群内の少なくとも１つの凸面を非球面にすることで、高倍側の球面収差を良好に補正することが可能となる。これは、高倍側では開口数の大きな光線を短い距離で収斂させるため、球面収差は第１レンズ群で最も大きく発生することによる。よって、第１レンズ群に非球面を設けることは、球面収差の補正に最も効果的である。これにより、顕微鏡ズーム対物レンズにおいて、高開口数化や長作動距離化を実現することができる。
【００４８】
上記の構成に加えて条件（２）を満足すると、特に高倍側の光学性能を良好に補正するためのレンズ群を配置するためのスペースを確保することが可能となる。また、条件（３”）を満足することで、変倍作用を持つ第２レンズ群が光軸上を移動するためのスペースを十分確保できる。この結果、４倍以上の高い変倍比を得ることができる。
【００４９】
なお、第１レンズ群に非球面がない場合、すなわち全て球面レンズで構成した場合は、球面収差の補正が難しくなる。そのため、同じレンズ枚数で高倍化、高開口数化あるいは長作動距離化を実現することは難しい。球面レンズだけで高倍側の球面収差を良好に補正しようとすると、非球面を含む場合に比べて第１レンズ群のレンズ枚数が多くなり、顕微鏡ズーム対物レンズの全長が長なる。また、レンズ枚数も増えてコストアップになるので好ましくない。
【００５０】
条件（２）の上限０．７を上回ると、高倍側の収差補正は容易になるが、変倍に伴う前記第２レンズ群の移動量が少なくなって高い変倍比を得ることができない。また、条件（２）の下限０．２５を下回ると、第１レンズ群の全長が短くなって高倍側の球面収差や軸上色収差を十分に補正することができなくなる。
【００５１】
一方、条件（３”）の上限０．３５を上回ると、第２レンズ群の変倍時の移動量が大きくなる。したがって、変倍に伴う像面を補正するための第３レンズ群の移動量が極端に少なくなるために、高い変倍比が得られない。また、条件（３”）の下限０．０５を下回ると、第２レンズ群の変倍時の移動量が少なくなる。したがって、高い変倍比を得られない。あるいは、第２レンズ群の負のパワーが強くなって、高倍側及び低倍側の収差性能が悪化する。
【００５２】
また、第１レンズ群内の非球面だけでなく、第２、第３レンズ群内に非球面を設けることで、低倍から高倍全域での収差補正を向上させることが可能となる。第３レンズ群では、ズーム全域で比較的光線高が高いので、第３レンズ群内に非球面を備えることは、レンズ枚数の低減や収差補正の点で効果的である。
【００５３】
第６の発明の顕微鏡ズーム対物レンズは、第４の発明に加えて、前記第１レンズ群の物体側に凹面を向けた前記接合メニスカスレンズの最も物体側の曲率半径をＲＧ１、前記接合メニスカスレンズの最も第２レンズ群側の曲率半径をＲＧ２、凹レンズの屈折率をＧｎ１、凸レンズの屈折率をＧｎ２としたとき、以下の条件（４）、（５）を満足することを特徴とする。
【００５４】
Ｇｎ１−Ｇｎ２≧０．１５                              ・・・（４）
０．３≦ＲＧ２／ＲＧ１≦２. ０                        ・・・（５）
条件（４）、条件（５）の何れかを満足した場合、その接合メニスカスレンズによって、ペッツバール和を小さくしながら、かつ、高倍側で球面収差とコマ収差を良好に補正することが可能となる。
【００５５】
条件（４）の下限の０．１５を下回ると、その接合メニスカスレンズの負屈折力が弱くなって、ペッツバール和が大きくなるので、像面の平坦性が悪化するので好ましくない。
【００５６】
また条件（５）の上限の２．０を上回ると、その接合メニスカスレンズの負屈折力が強くなってペッツバール和は小さくなるが、高倍側での軸上光線高が高くなりすぎて球面収差、コマ収差が悪化して好ましくない。
【００５７】
条件（５）の下限の０．３下回ると、そのメニスカスレンズの接合面の負屈折力が弱くなって、ペッツバール和が大きくなる。
【００５８】
条件（４）、（５）を共に満足する場合には、より一層の収差補正が可能となる。
【００５９】
第７の発明の顕微鏡ズーム対物レンズは、第１〜４の発明において、前記顕微鏡ズーム対物レンズは３群構成であって、前記第１レンズ群の物体から軸上光線高が最も高くなるレンズ群までを前側第１レンズ群、軸上光線高が最も高いレンズ群から最も第２レンズ群側までのレンズ群を後側第１レンズ群とし、前側第１レンズ群は、物体側から順に、物体側に凹面を向けた接合メニスカスレンズ、正のパワーを持つ単レンズ、凹レンズと凸レンズで構成された接合レンズ、正のパワーを持つ凸レンズの少なくとも４つのレンズ群で構成され、後側第１レンズ群中に、物体側から凹レンズと凸レンズで接合された正のパワーの接合レンズと、第２レンズ群側に凹面を向けたメニスカスレンズとを少なくとも１つ備えたことを特徴とする。
【００６０】
この構成によるレンズ群の作用について説明する。物体からの光束は、前側第１レンズ群では、接合メニスカスレンズの接合面による負の屈折力によって光線高が上げられた（発散する方向に屈折された）後、正のパワーを持つ単レンズによって収束する方向に（発散の度合いが小さくなるように）に屈折される。そして、凹レンズと凸レンズで構成された接合レンズと正のパワーを持つ凸レンズよって収斂光束に変換される。なお、軸上光線高は正のパワーを持つ凸レンズの位置で最も高くなる。
【００６１】
次に、後側第１レンズ群では、光線高が下がりながらレンズ群に光線が入射してくる。凹レンズ、凸レンズの順に接合された接合レンズに入射した光線は、接合レンズの接合面の負のパワーで屈折作用を受けた後、第２レンズ群側に凹面を向けたメニスカスレンズを通過して第２レンズ群へ入射する。
【００６２】
さて、高倍から低倍までの収差を良好に補正するためには、第１レンズ群から第３レンズ群の各群単独で収差の発生を少なくしておくことが必要である。そして、各群で補正しきれなかった収差を、第１レンズ群から第３レンズ群全体によって、最終的に補正することが好ましい。
【００６３】
そこで、第１レンズ群での収差、特に球面収差を抑えるために、第７の発明では、接合レンズの接合を利用している。すなわち、前側第１レンズ群の接合メニスカスレンズと接合レンズの接合面に負のパワーを持たせて正の球面収差を発生させ、前側第１レンズ群中の残りのレンズ群で発生する負の球面収差を略キャンセルしている。さらに、後側第１レンズ群の接合レンズにおける接合面の負のパワーでも正の球面収差を発生させて、前側第１レンズ群で補正しきれなかった球面収差を補正して、第１レンズ群全体で発生する球面収差の量を小さく抑えるようにしている。
【００６４】
また、前側第１レンズ群で発生するコマ収差を、後側第１レンズ群のメニスカスレンズによって補正することができる。したがって、第１レンズ群内の前側第１レンズ群と後側第１レンズ群で、逆方向の収差を与えることで、高倍側での球面収差とコマ収差を良好に補正することが可能となる。しかも、第１レンズ群中に３つの接合レンズを備えることにより、高倍側の軸上色収差についても良好に補正することが可能となった。
【００６５】
さらに、上記負のパワーを持つ面はペッツバール和を小さくする働きも併せて有するので、像面の平坦性を良好にすることができる。
【００６６】
さらに、第８の発明の顕微鏡ズーム対物レンズは、第１〜４の発明において、前記第１レンズ群の焦点距離をＦ１、前記第２レンズ群の焦点距離をＦ２としたとき、以下の条件（６）を満足することを特徴とする。
【００６７】
−２．５≦Ｆ１／Ｆ２≦―０．２                        ・・・（６）
条件（６）は、ズーム対物レンズをコンパクトかつ低倍側から高倍側までの収差性能を良好に保つための条件である。この条件は、第１レンズ群と第２レンズ群の焦点距離の比率を表しており、そして、この条件を満足することで、高い変倍比を持ち、全長を５５ｍｍから１１０ｍｍ前後と、従来の対物レンズに比べてやや長い程度の長さでズーム対物レンズを構成することが可能になる。また、低倍側から高倍側までの範囲の収差性能を、良好に維持することが可能となる。
【００６８】
条件（６）の下限の−２．５を下回ると、負のパワーを持つ第２レンズ群のパワーが強くなって、高倍側の軸上性能と低倍側の軸外性能が悪化する。これは、第２レンズ群の負のパワーが強いと、第２レンズ群で光線が強く曲げられるために低倍側のコマ収差や高倍側の球面収差が発生し、この結果、高倍側と低倍側の性能を良好に維持することができなくなってしまうことによる。この状態で収差性能を改善しようとすると、レンズ枚数が増えてしまい、ズーム対物レンズの全長が長くなる。また、高倍側の収差性能が犠牲になって低倍側と高倍側両方の収差性能の良好にすることができない。しかも、レンズ枚数が増えてコスト高にもなる。逆に、第２レンズ群のレンズ枚数の増加を抑えようとすると、第３レンズ群の枚数が増えてしまう。このため、第２レンズ群の光軸上を移動する空間が少なくなってしまい、ズーム変倍比を高くとることができない。
【００６９】
条件（６）の上限の−０．２を上回ると、負のパワーを持つ第２レンズ群のパワーが弱くなって、大きな変倍比をとることができなくなる。また、無理に変倍比を大きくしようとするとズーム対物レンズの全長が長くなる問題がある。また、第２レンズ群の負のパワーが小さくなるために、高倍側の像面湾曲を補正不足となって像面の平坦性が悪化するので好ましくない。
【００７０】
第９の発明の顕微鏡ズーム対物レンズは、第８の発明において、前記第２レンズ群の焦点距離をＦ２、前記第３レンズ群の焦点距離をＦ３としたとき、以下の条件（７）を満足することを特徴とする。
【００７１】
−７．５≦Ｆ３／Ｆ２≦−１．５                        ・・・（７）
この条件は、第２レンズ群と第３レンズ群の焦点距離の比を表しており、高いズーム変倍比を保ちながらズーム対物レンズの全長を５５ｍｍから１１０ｍｍ前後とコンパクトにする条件である。この条件（７）を満足すると、低倍側から高倍側にわたっての収差を良好に補正して、ズーム変倍比を高くすることができる。
【００７２】
条件（７）の下限の−７．５を下回ると、負のパワーを持つ第２レンズ群のパワーが強くなる。そのため、条件（６）のときと同様に、高倍側の軸上性能と低倍側の軸外性能が悪化する。これは、第２レンズ群で光線が強く曲げられるために、低倍側のコマ収差や高倍側の球面収差が発生して高倍側と低倍側の性能を良好に維持することができなくなってしまうことによる。また、第３レンズ群での低倍側での光線高が高くなり、レンズ外径が大きくなるので好ましくない。
【００７３】
条件（７）の上限の−１．５を上回ると、負のパワーを持つ第２レンズ群のパワーが弱くなる。そのため、条件（６）のときと同様に、大きな変倍比をとることができなくなる。また、変倍比を大きくしようとすると、ズーム対物レンズの全長が長くなる問題がある。また、第２レンズ群の負のパワーが小さくなるために、高倍側の像面湾曲を補正不足となって像面の平坦性が悪化するので好ましくない。
【００７４】
なお、レンズ系が３群構成の場合は、条件（７）の代わりに、以下の条件（７’）を満足することがより好ましい。
【００７５】
−６．５≦Ｆ３／Ｆ２≦−２．０                      ・・・（７’）
また、条件（６）と条件（７）、あるいは、条件（６）と条件（７’）を同時に満足すれば、ズーム比を高くしながら、全長をコンパクトに構成したズーム対物レンズを実現できる。しかも、低倍側から高倍側にわたって収差を良好に補正することができるので、より好ましい。
【００７６】
第１０の発明の顕微鏡ズーム対物レンズは、第１〜４の発明において、前記顕微鏡ズーム対物レンズは３群構成であって、低倍から高倍へと変倍する際に、作動距離が短くなるように、前記第１レンズ群は前記第２レンズ群とは反対方向へ光軸に沿って移動することを特徴とする。
【００７７】
高倍側へ変倍の際に作動距離が短くなることで、第１レンズ群内を通過する軸上光線高を抑える作用が生じる。そのため、特に球面収差と軸上色収差を良好に補正することが可能である。この構成においても、第２レンズ群が主に変倍を行ない、第３レンズ群が変倍に伴う像面位置の変化を一定にし、低倍側から高倍側での収差補正の作用は、前述したズーム対物レンズの場合と同様である。
【００７８】
第１１の発明の顕微鏡ズーム対物レンズは、第５の発明において、以下の条件（８）を満足することを特徴とする。
【００７９】
０＜ＦＢ1 ／Ｄ1 ≦０．４                              ・・・（８）
ただし、ＦＢ1 は、前記第１レンズ群の前記第２レンズ群側に最も近いレンズ面から、前記第１レンズ群の後側焦点位置までの距離である。
【００８０】
条件式（８）を満足することで、ズーム対物レンズの射出瞳位置を、低倍側で第１レンズ群側に近く位置することなく、高倍側に近づけることが可能となる。つまり、低倍側では、第１レンズ群と第２レンズ群の間隔が小さくなるので、第１レンズ群の後側焦点位置よりも物体側に第２レンズ群が移動する。そのため、第１レンズ群と第２レンズ群による２つのレンズ群の後側焦点位置は、第１レンズ群の後側焦点位置よりも第３レンズ群側へ移動する。第２レンズ群は負のパワーを持つので、第２レンズ群に入射した主光線の射出角度が緩くなる。その主光線は、第３レンズ群（構成によっては、第３レンズ群に続くレンズ群）を経て像側へ射出するために、低倍側での射出瞳位置が第１レンズ群から離れる方向に位置することになり、高倍側の射出瞳位置に近づけることが可能となる。
【００８１】
しかも、第２レンズ群から射出する主光線角度が緩くなることにより、第３レンズ群（構成によっては、第３レンズ群に続くレンズ群）での軸外光束の光線高を下げることができ、低倍側の軸外収差を良好に補正できる。また、第３レンズ群（構成によっては、第３レンズ群に続くレンズ群）の有効径が小さくなり、移動レンズ群の構成をコンパクトに構成できるので好ましい構成である。
【００８２】
条件（８）の下限の０を下回ると、第１レンズ群の後側焦点位置は、第１レンズ群中にあるので、低倍側では第２レンズ群に入射する主光線高が高くなる。第２レンズ群は負のパワーを持つので、第２レンズ群の射出光束は光線高が高く主光線角度がきつくなる。そのため、低倍側での収差性能を補正することが困難になる。しかも、射出瞳位置は低倍側では第１レンズ群側に近く位置することになるので、射出瞳位置の変動が大きくなり好ましくない。条件（８）の上限の０．４を上回ると、第１レンズ群の正のパワーが小さくなるので、高倍側での収差補正を良好に補正することができなくなったり、高倍への変倍や高開口数を維持するのが困難になってしまう。
【００８３】
第１２の発明の顕微鏡ズーム対物レンズは、第５、第１１の発明において、前記顕微鏡ズーム対物レンズは４群構成であって、第２レンズ群の焦点距離をＦ２、第３レンズ群の焦点距離をＦ３、第４レンズ群の焦点距離をＦ４としたときに、以下の条件（９）、（１０）を満足することを特徴とする。
【００８４】
−３≦Ｆ３／Ｆ２≦−１．５                            ・・・（９）
３≦Ｆ４／Ｆ２≦６                                  ・・・（１０）
条件式（９）と条件（１０）を満足すると、第３レンズ群と第４レンズ群の変倍時の移動量を抑えて、高い変倍比を維持しながらズーム全域の光学性能を良好にできる。しかも、本発明の顕微鏡ズーム対物レンズの全長を６０ｍｍから９０ｍｍ前後とコンパクトに構成でき、低倍側と高倍側での射出瞳位置を略一定の所定の位置に設定することが可能となる。本発明の顕微鏡ズーム対物レンズの全長を、従来の変倍の手段に比べて短く構成できることは、顕微鏡のシステムや操作性からも好ましいのは言うまでもない。
【００８５】
条件（９）の上限の−１．５を上回ると、第２レンズ群の負のパワーが弱くなるので、高い変倍比にできない。また、変倍比を大きくとった場合には、顕微鏡ズーム対物レンズの全長が長くなる問題がある。また、第２レンズ群の負のパワーが弱くなるために、高倍側の像面湾曲が補正不足となって像面の平坦性が悪化するので好ましくない。あるいは、第３レンズ群の正のパワーがきつくなった場合には、低倍側での収差性能の悪化及び射出瞳位置が第１レンズ群に近く位置するので好ましくない。
【００８６】
条件式（９）の下限の−３を下回ると、負のパワーを持つ第２レンズ群のパワーが強くなるので、高倍側の軸上性能と低倍側の軸外性能が悪化する。これは、第２レンズ群で光線が強く曲げられることによるもので、低倍側のコマ収差や高倍側の球面収差が発生して高倍側と低倍側の性能を良好に維持することができなくなってしまう。また、第３レンズ群での低倍側での光線高が高くなり、レンズ外径が大きくなるので好ましくない。あるいは、第３レンズ群の正のパワーが緩くなるので、高い変倍比を維持しようとすると、全長が長くなってしまうのでやはり好ましくない。
【００８７】
条件式（１０）の下限の３を下回ると、第２レンズ群の負のパワーが弱くなるので、条件式（４）と同様に、高い変倍比にできない。また、変倍比を大きくとった場合には、顕微鏡ズーム対物レンズの全長が長くなる問題がある。また、第２レンズ群の負のパワーが弱くなるために、高倍側の像面湾曲が補正不足となって像面の平坦性が悪化する。また、低倍側の射出瞳位置が第１レンズ群に近く位置するので好ましくない。あるいは、第４レンズ群の負のパワーがきつくなった場合には、低倍側での軸外収差性能が悪化する。
【００８８】
条件（１０）の上限の６を上回ると、負のパワーを持つ第２レンズ群のパワーが強くなるので、条件（４）のときと同様に、高倍側の軸上性能と低倍側の軸外性能が悪化する。これは、第２レンズ群で光線が強く曲げられることによるもので、低倍側のコマ収差や高倍側の球面収差が発生して高倍側と低倍側の性能を良好に維持することができなくなってしまう。また、第３レンズ群での低倍側での光線高が高くなり、レンズ外径が大きくなるので好ましくない。
【００８９】
第１３の発明の顕微鏡ズーム対物レンズは、第１２の発明において、前記第１レンズ群の最も物体側のレンズ群は、物体側に凹面を向けた負レンズと正レンズの接合メニスカスレンズで構成されたことを特徴とする。
【００９０】
最も物体側に配置された接合レンズ群は、物体側に凹面を向けた負レンズと正レンズで構成され、接合メニスカスレンズの接合面が負の屈折力を持っている。そして、この面で軸上光線高を上げた後に第２レンズ群へと光束を導く後続の第１レンズ群部分によって収斂光束へ変換して、第２レンズ群に入射させる。つまり、第１レンズ群内にペッツバール和を抑える効果を持たせて、像面平坦性を良好に補正するようにしている。また、この接合メニスカスレンズは物体側に凹面を向けているので、コマ収差や非点収差等の軸外収差の発生を抑えることができる。この接合メニスカスレンズは、高倍側と低倍側での収差補正に効果的である。
【００９１】
第１４の発明の顕微鏡ズーム対物レンズは、第１３の発明において、前記第１レンズ群は複数の接合レンズ群を備えており、その接合レンズ群の正レンズのアッベ数をνＰ、接合レンズ群の負レンズのアッベ数をνＮとするとき、第１レンズ群中の何れかの接合レンズ群が以下の条件（１１）を満足することを特徴とする。
【００９２】
νＰ−νＮ≧３５                                    ・・・（１１）
第１レンズ群は高倍時の軸上光線高が最も高くなるので、条件（１１）を満足する複数の接合レンズ群により、球面収差と軸上色収差を良好に補正することができる。また、低倍側での軸外主光線が最も高くなるので、倍率色収差も良好に補正することが可能となる。
【００９３】
また、第１レンズ群内の接合レンズに異常分散性の硝材を用いることで、さらに色収差補正が良好となる。
【００９４】
条件（１１）を満足しない場合には、高倍側の球面収差と軸上色収差及び低倍側の倍率色収差を補正するのが困難となる。
【００９５】
第１５の発明の顕微鏡ズーム対物レンズは、第１２の発明において、前記第２レンズ群は、互いに凹面を向けた少なくとも２つのレンズ群で構成されたことを特徴とする。
【００９６】
第２レンズ群を互いに凹面を向けた２つのレンズ群を少なくとも備えた構成にすることにより、強い負のパワーを持たせてぺッツバール和を小さくすることができる。これにより、特に高倍側での像面平坦性を良好に補正することが可能となる。第２レンズ群が互いに凹面が向き合っていないレンズ群で構成されている場合には、第２レンズ群の負のパワーが弱くなってペッツバール和を小さくすることができない。あるいは、互いに向き合った面と反対側の面の曲率半径が小さくなって、第２レンズ群での軸外収差が悪化してしまう。
【００９７】
第１６の発明の顕微鏡ズーム対物レンズは、第１２の発明において、前記第４レンズ群は、少なくとも第３レンズ群側に凸面を向けた正レンズと負レンズの接合メニスカスレンズと、第３レンズ群側に凹面を向けた負のパワーを持つレンズ群とで構成されたことを特徴とする。
【００９８】
第３レンズ群側に配置された接合メニスカスレンズは、ガウスレンズと略似たような作用をするので、軸外光束の光線高を下げてコマ収差の補正に効果的である。しかも、その接合メニスカスレンズによって光線高を下げた光束は、像側に配置され第３レンズ群側に凹面を向けた負のパワーを持つレンズ群によって、無限遠光束へと変換される。また、その接合メニスカスレンズは、軸外主光線の光線高を入射時と射出時でほとんど変化させない作用ををする。すなわち、第３レンズ群側に凹面を向けた負のパワーを持つレンズ群に入射する光線高と角度は変倍にかかわらず略一定になる。この結果、第３レンズ群側に凹面を向けた負のパワーを持つレンズ群によって形成される射出瞳の位置は、低倍側と高倍側ほとんど変化しないことになる。
【００９９】
第１７の発明の顕微鏡ズーム対物レンズは、第１６の発明において、前記第４レンズ群は、第３レンズ群側から、正レンズと負レンズで構成された接合メニスカスレンズと、両凹レンズと正メニスカスレンズで構成された接合負レンズとを備え、以下の条件（１２）、（１３）、（１４）を満足することを特徴とする。
【０１００】
０．５≦｜Ｆ４ｂ／Ｆ４｜≦２                        ・・・（１２）
ν４ｎ−ν４ｐ≧２５                                ・・・（１３）
Ｎ４ｐ≧１．６８                                    ・・・（１４）
ただし、Ｆ４は、前記第４レンズ群の焦点距離、
Ｆ４ｂは、前記接合負レンズの焦点距離、
ν４ｎは、前記接合負レンズの両凹レンズのアッベ数、
ν４ｐは、前記接合負レンズの正メニスカスレンズのアッベ数、
Ｎ４ｐは、前記接合負レンズの正メニスカスレンズの屈折率、
である。
【０１０１】
条件（１２）を満足すると、低倍側での第４レンズ群での非点収差の発生を抑えることができる。また、球面収差とコマ収差を第３レンズ群で発生する方向と逆向きに発生させることができる。すなわち、第３レンズ群で発生する収差を打ち消す方向に収差を発生させることができるので収差補正が効果的に行える。
【０１０２】
条件（１３）を満足すると、高倍側での主光線高は、前述の通り、第４レンズ群が最も高いので、特に高倍側の倍率色収差を補正することが可能となる。
【０１０３】
条件（１４）を満足すると、像側の曲率半径を比較的緩い面で構成されるので、低倍側のコマ収差や非点収差の補正と高倍側の球面収差の補正に効果的である。
【０１０４】
条件（１２）を満足しない場合には、低倍側のコマ収差と球面収差の補正が悪化してしまうので、好ましくない。
【０１０５】
条件（１３）を満足しない場合には、高倍側の倍率色収差が補正できなくなる。
【０１０６】
条件（１４）を満足しない場合には、正メニスカスレンズの曲率半径がきつくなって低倍側の球面収差やコマ収差が悪化してしまうので、好ましくない。
【０１０７】
第１８の発明の顕微鏡ズーム対物レンズは、第１〜５、第１１の発明において、前記第１レンズ群の後側焦点位置近傍に、開口絞りを備えていることを特徴とする。
【０１０８】
一般的な顕微鏡対物レンズは、入射瞳位置が無限遠に設定されるテレセントリック光学系であるため、開口絞りを第１レンズ群の後側焦点位置近傍に配置している。本発明の顕微鏡ズーム対物レンズにおいても、開口絞りを第１レンズ群の後側焦点位置近傍に配置することで、テレセントリック光学系に構成することが可能である。また、開口絞りは第２レンズ群よりも物体側に配置されるので、ズーム変倍の際に光軸上に沿って移動させる必要がない。そのため、入射瞳位置の変動が生じないので好ましい構成と言える。
【０１０９】
変倍に伴って、高倍側では径を広げて開口数を高く、低倍側では径を小さくして開口数を低くなるように開口絞りの径を変化させることで、従来の対物レンズと同様の開口数と周辺光量を確保できるので好適である。
【０１１０】
なお、レンズ系が３群構成の場合、第２レンズ群の位置は常に第１レンズ群の後側焦点位置より像側になる。よって、上記のように変倍に応じて開口絞りの径を変化させることができる。これに対して、レンズ系が４群構成の場合は、低倍側で第２レンズ群が第１レンズ群の後側焦点位置よりも第１レンズ群側に位置する。そのため、開口絞りと第２レンズ群が接触しないようにするためにも、絞り径を可変にしておくことは有効である。
【０１１１】
第１９の発明の顕微鏡ズーム対物レンズは、第１〜５、第１１、第１２の発明において、前記第１レンズ群と物体の間隔をＷＤ、前記第１レンズ群の焦点距離をＦ1 としたとき、以下の条件（１５）を満足することを特徴とする。
【０１１２】
ＷＤ≦０．２５Ｆ1                                   ・・・（１５）
第１９の発明において、ＷＤをより正確に述べると、第１レンズ群の最も物体側のレンズ面と物体の間の軸上間隔である。ただし、実質的には作動距離と同じである。よって、条件（１５）は作動距離の条件式とみなすことができる。
【０１１３】
特に、第１１、第１２の発明において、条件（１５）を満足すると、比較的長い作動距離ＷＤと高倍側での球面収差の補正をバランス良く実現できる。しかも、第１１の顕微鏡ズーム対物レンズに関して述べたように、条件（８）を満足するので、変倍時の射出瞳位置の変動を抑えながら高変倍化を実現することができる。
【０１１４】
条件（１５）の上限の０．２５Ｆ1 を上回ると、作動距離が長くなりすぎて、第１レンズ群に入射する光線高が高くなり、高倍側の球面収差の補正が困難になるか、高い変倍比を実現することができなくなってしまうので、好ましくない。  なお、第１〜４の発明においては、以下の条件（１５’）を満足することが好ましい。
【０１１５】
ＷＤ≦０．２Ｆ１                                  ・・・（１５’）
第１〜第４の発明において条件（１５’）を満足する場合は、高倍側での第１レンズ群での軸上光線高を極端に高くせずに抑えることができるので、第１レンズ群のレンズ枚数を抑えて全長を短くでき、球面収差や軸上色収差を良好に補正することが可能となる。
【０１１６】
条件（１５’）の上限の０．２Ｆ１を上回ると、高倍側での球面収差や軸上色収差が悪化する。また、悪化した球面収差を補正するためにレンズ枚数を増やさなければならなくなる。また、第２レンズ群や第３レンズ群の収差補正の寄与が非常に大きくなるので、低倍から高倍までの性能を良好に維持するには問題がある。
【０１１７】
第２０の発明の顕微鏡ズーム対物レンズは、第１〜４、第１５の発明において、前記第２レンズ群は、少なくとも１つの正レンズと負レンズで構成された接合メニスカスレンズを備え、前記正レンズの屈折率をＮ２Ｐ、アッベ数をν２Ｐ、前記負レンズのアッベ数をν２Ｎとしたとき、以下の条件（１６）、（１７）を満足することを特徴とする。
【０１１８】
Ｎ２Ｐ≧１．６５                                    ・・・（１６）
ν２Ｎ−ν２Ｐ≧２０                                ・・・（１７）
第１〜４の発明においては、以下の条件（１６）、（１７’）を満足するのが好ましい。
【０１１９】
Ｎ２Ｐ≧１．６５                                    ・・・（１６）
ν２Ｎ−ν２Ｐ≧２５                              ・・・（１７’）
条件（１６）を満足すると、その接合レンズの正レンズの屈折率が高いので、第３レンズ群側のレンズ面の曲率半径を大きくすること、すなわち、比較的緩い面で構成することができる。そのため、コマ収差や非点収差の発生を抑えることができる。また、その接合レンズの負レンズの屈折率は比較的小さい方が、ペッツバール和を小さくできる。
【０１２０】
条件（１６）の下限の１．６５を下回ると、その接合レンズの正レンズの屈折率が低いので、第３レンズ群側のレンズ面の曲率半径が比較的小さくなって、コマ収差や非点収差が悪化する。また、高倍での軸上色収差や球面収差の曲がりが大きくなってしまう。
【０１２１】
条件（１７’）を満足すると、倍率色収差を良好に補正できる。レンズ系が３群構成の場合、高倍では、軸外主光線高が第２レンズ群と第３レンズ群において高くなり、低倍側では、第３レンズ群での軸外主光線高が高く、第２レンズ群での軸外主光線高が低くなる。条件（１７’）は、高倍側での倍率色収差を良好に補正する。
【０１２２】
条件（１７’）の下限の２５を下回ると、倍率色収差が悪化する。また、第３レンズ群の倍率色収差の補正効果を高めると、低倍側の軸上色収差軸外収差が悪化して、低倍から高倍までをバランス良く補正することが難しい。
【０１２３】
一方、第１５の発明においては、条件（１６’）、（１７）を満足するのが好ましい。
【０１２４】
Ｎ２Ｐ≧１．６８                                  ・・・（１６’）
ν２Ｎ−ν２Ｐ≧２０                                ・・・（１７）
条件（１６’）を満足すると、接合レンズの正レンズの屈折率が高いので、第３レンズ群側のレンズ面の曲率半径を比較的大きくすることができる。この結果、コマ収差や非点収差の補正に大きな効果が得られる。また、その接合レンズの負レンズの屈折率は比較的小さい方が、ペッツバール和を小さくできる。条件（１６’）の下限の１．６８を下回ると、接合レンズの正レンズの屈折率が低いので、第３レンズ群側のレンズ面の曲率半径が小さくなって、コマ収差や非点収差が悪化する。また、高倍での軸上色収差や球面収差の曲がりが大きくなってしまう。
【０１２５】
条件（１７）を満足すると、倍率色収差を良好に補正できる。これは、レンズ系が４群構成の場合、第２レンズ群での主光線高は高倍と低倍では光軸に対して符号が異なるので、低倍側と高倍側の倍率色収差をバランス良く補正するのに効果的である。条件（１７）の下限の２０を下回ると、高倍側と低倍側の倍率色収差の何れかが悪化してしまい、ズーム全域での倍率色収差を補正するのが困難となってしまう。
【０１２６】
第２１の発明の顕微鏡ズーム対物レンズは、第１〜４、第１２の発明において、前記第３レンズ群のアッベ数が最も高い正レンズのアッベ数をν３ｐ、アッベ数が最も低い負レンズのアッベ数をν３ｎとしたとき、以下の条件（１８）を満足することを特徴とする。
【０１２７】
ν３ｐ−ν３ｎ≧３５                                ・・・（１８）
第１〜第４の発明においては、このレンズ構成により、低倍側での球面収差と軸外収差を効果的に補正でき、さらに、条件（１８）を満足すると、低倍側の軸上色収差及び低倍から高倍に至る倍率色収差を良好に補正することが可能となる。また、異状分散性の硝材を用いることで、一層の色収差補正が可能である。
【０１２８】
条件（１８）の下限の３５を下回ると、低倍側での軸上色収差や低倍から高倍に至る倍率色収差補正が困難になってくる。また、高倍側での倍率色収差も悪化し、他のレンズ群によって色収差補正を行なうと、低倍側、高倍側での性能をバランス良く補正することができなくなる。
【０１２９】
また、第１２の発明においては、次のようになる。第３レンズ群は、変倍作用を持つ第２レンズ群からの光束を受けるレンズ群である。第３レンズ群は、像面を一定にする作用を持つ移動群であるので、ズーム全域で第３レンズ群に入射する光束の光線高は大きく変化しない。したがって、第１２の顕微鏡ズーム対物レンズの構成により、低倍側での球面収差と軸外収差を効果的に補正できる。
【０１３０】
そして、第１２の発明においても、上述のように、さらに、条件（１８）を満足すると、低倍側の軸上色収差及び低倍から高倍に至る倍率色収差を良好に補正することが可能となる。また、異常分散性の硝材を用いることで、一層の色収差補正が可能である。条件（１８）の下限の３５を下回ると、低倍側での軸上色収差や低倍から高倍に至る倍率色収差補正が困難になってくる。また、高倍側での倍率色収差も悪化し、他のレンズ群によって色収差補正を行うと、低倍側、高倍側での性能をバランス良く補正することができなくなる。
【０１３１】
第２２の発明の顕微鏡ズーム対物レンズは、第１〜第５、第１１、第１２の発明において、変倍比が３以上であることを特徴とする。なお、第５、第１１、第１２の発明においては、変倍比が４以上である。
【０１３２】
第２３の発明の顕微鏡ズーム対物レンズは、物体から順に、正のパワーを持つ第１レンズ群、負のパワーを持つ第２レンズ群、正のパワーを持つ第３レンズ群の少なくとも３つのレンズ群で構成され、少なくとも１つの非球面を備え、以下の条件（１９）を満足することを特徴とする。
【０１３３】
ＮＡ≧０．５                                        ・・・（１９）
ただし、ＮＡは高倍側の顕微鏡ズーム対物レンズの開口数である。
【０１３４】
第１レンズ群中に少なくとも１つの非球面を備えることにより、高倍側の収差性能を良好に補正した顕微鏡ズーム対物レンズの高変倍化あるいは高開口数化が達成できる。さらに、第１レンズ群中に非球面を用いることで、第１レンズ群の全長を抑えることが可能となる。また、変倍作用の第２レンズ群の移動量を確保して、高変倍化と、変倍時の射出瞳位置の変動を抑えることが可能となる。
【０１３５】
なお、第１レンズ群を全て球面レンズで構成すると、以下のようになる。高変倍化あるいは高開口数化を実現しようとすると、第１レンズ群の正のパワーが非常に大きくなり、そのために球面収差及び軸上色収差がより大きく発生する。この補正のために第１レンズ群のレンズ枚数を非常に多くしなければならない。しかも、変倍作用の第２レンズ群のパワーも強くなり、変倍のための移動量もより大きく必要となってくる。
【０１３６】
しかしながら、第１レンズ群の全長が長くなり、かつ、第２レンズ群の移動量が大きくなると、特にレンズ系が４群構成の場合は、第３レンズ群と第４レンズ群の配置から、どうしても顕微鏡ズーム対物レンズの全長をコンパクトにすることができない。さらに、第１レンズ群の全長が長くなると、第１レンズ群の後側焦点位置が第１レンズ群中に入り込んでしまうので、変倍時の射出瞳位置の変動を抑えることができなくなり、顕微鏡のシステム性が損なわれてしまう。しかも、第１レンズ群のレンズ枚数の増加に伴ってコストアップも招いてしまう。
【０１３７】
第２４の発明の顕微鏡ズーム対物レンズは、第５、第１１発明において、前記第１レンズ群又は第３レンズ群中に、少なくとも１つの非球面を備えたことを特徴とする。
【０１３８】
第１レンズ群中に少なくとも１つの非球面を備えることにより、高倍側の収差性能を良好に補正した顕微鏡ズーム対物レンズにおいて、高変倍化あるいは高開口数化が達成できる。さらに、第１レンズ群中に非球面を用いることで、第１レンズ群の全長を抑えることが可能となる。また、変倍作用をする第２レンズ群の移動量を確保して、高変倍化と、変倍時の射出瞳位置の変動を抑えることが可能となる。
【０１３９】
また、第３レンズ群中に少なくとも１つの非球面を備えることにより、低倍側から高倍側に至る球面収差及び軸外収差を全般的に良好に補正した顕微鏡ズーム対物レンズが達成できる。低倍側から高倍側にかけて第３レンズ群に入射する光束径は極端に変化しないので、非球面を第３レンズ群に設けることで、低倍側の球面収差とコマ収差、及び高倍側の非点収差とコマ収差の補正が可能である。
【０１４０】
なお、第３レンズ群に非球面を設けると、以下のようになる。高変倍化あるいは高開口数化を実現しようとすると、第１レンズ群の正のパワーが強くなり、しかも変倍作用の第２レンズ群のパワーも強くなる。この結果、第３レンズ群に入射する光束径が大きくなり、しかも、軸上光線高及び軸外主光線の入射角度もきつくなる。そのため、第３レンズ群のレンズ枚数が増えてしまい、結果として顕微鏡ズーム対物レンズの全長をコンパクトに抑えることができなくなってしまう。
【０１４１】
第２５の発明の顕微鏡ズーム対物レンズは、第１〜第５、第１１、第１２、第２３、第２４の発明において、前記顕微鏡ズーム対物レンズの作動距離をＷＤとしたとき、以下の条件（２０）を満足することを特徴とする。
【０１４２】
０．５≦ＷＤ≦１．５  （ｍｍ）                      ・・・（２０）
一般の顕微鏡対物レンズでは、４０倍で作動距離が０．５ｍｍ程度であり、１０倍では開口数によって異なるが３〜１０ｍｍ程度である。作動距離が長い程標本と対物レンズの先端の接触が回避でき、また、操作性の向上にもつながる。しかしながら、作動距離が余りに長いと球面収差の補正が困難になる。したがって、本発明の顕微鏡ズーム対物レンズにおいて、条件（２０）を満足すると、高倍側の球面収差を補正しながら、高い変倍比を実現し、かつ、作動距離を比較的長くしながら、標本の操作性や対物レンズ先端と標本との接触の回避をバランス良く実現させることが可能となる。
【０１４３】
条件（２０）の下限の０．５ｍｍを下回ると、作動距離が短くなって、合焦の際に対物レンズの先端と標本が接触して標本の破損のおそれがある。また、標本の位置出しや操作性が悪化するので、好ましくない。
【０１４４】
条件（２０）の上限の１．５ｍｍを上回ると、作動距離が長くなって操作性は向上するが、高倍側での球面収差の補正が困雌となる。あるいは、高い変倍比を実現することが困難になってしまう。
【０１４５】
第２６の発明の顕微鏡ズーム対物レンズは、第１〜第５、第１１、第１２、第２３、第２４の発明において、前記顕微鏡ズーム対物レンズの最も像側にあるレンズ群の像側に最も近い面から物体までの距離をＬとするとき、以下の条件（２１）を満足することを特徴とする。
【０１４６】
５５≦Ｌ≦１１０  （ｍｍ）                          ・・・（２１）
ここで、レンズ系が３群構成の場合、最終レンズ群は第３レンズ群になる。また、レンズ系が４群構成の場合、最終レンズ群は第４レンズ群になる。
【０１４７】
条件（２１）を満足すると、高い変倍比でありながら、本発明の顕微鏡ズーム対物レンズ及び顕微鏡システムを従来の手法に比べて非常にコンパクトに構成することができる。
【０１４８】
条件（２１）の下限の５５ｍｍを下回ると、移動群である第２レンズ群、第３レンズ群、第４レンズ群の移動するスペースが少なくなって、高い変倍比を実現できなくなる。また、高い変倍比を実現するために移動群の第２、第３、第４レンズ群の移動量を確保すると、第１レンズ群の全長が短くなって高倍側の球面収差の補正が困難となる。
【０１４９】
条件（２１）の上限の１１０ｍｍを上回ると、高倍化や高変倍化には有利となるが、全長が長くなって顕微鏡システムをコンパクトに構成できなくなるので好ましくない。
【０１５０】
第２７の発明の顕微鏡ズーム対物レンズは、第１〜第５、第１１、第１２、第２３、第２４の発明において、前記顕微鏡ズーム対物レンズは４群構成であって、最も低倍側での射出瞳位置をＥ１、最も高倍側での射出瞳位置をＥ２としたとき、以下の条件（２２）を満足することを特徴とする。
【０１５１】
｜Ｅ１−Ｅ２｜≦１５  （ｍｍ）                      ・・・（２２）
条件（２２）を満足すると、顕微鏡ズーム対物レンズの瞳位置と照明光学系の瞳位置との共役関係を、低倍側から高倍側まで略一致させることができる。また、軸外光線のケラレ等による周辺光量の低下を防止することが可能となる。よって、取り付け可能な中間鏡筒ユニット（付属ユニット）の種類が増えるので、顕微鏡のシステム性が大きく向上する。なお、射出瞳位置とは、顕微鏡ズーム対物レンズの射出瞳位置のことである。
【０１５２】
条件（２２）の上限の１５ｍｍを上回ると、低倍側と高倍側の射出瞳位置の変動が大きくなるので、顕微鏡照明光学系による光線のケラレやが生じる。また、中間鏡筒ユニットを組み合せた場合に周辺光量が低下するので、顕微鏡のシステム性を低下させてしまう。
【０１５３】
第２８の発明の顕微鏡ズーム対物レンズは、第５、第１１の発明において、非球面が設けられたレンズ面の面形状が、光軸から離れるに従って曲率半径が大きくなるような面形状であることを特徴とする。
【０１５４】
球面レンズ系の場合、高倍側の開口数が大きい場合に、第１レンズ群で発生する球面収差が非常に大きくなる。これは、入射する光線に対して面の傾きが大きい（屈折力が大きい）からである。そこで、非球面の形状を光軸から離れるに従って曲率半径が緩くなる形状にすると、面の屈折力が弱くなる。したがって、第２８の発明のように、軸上光線の開口比が大きくなるにつれて非球面の屈折力が弱くなる面形状にすることで、効果的に球面収差の補正を行うことができる。
【０１５５】
そして、非球面の効果により第１レンズ群内での球面収差の発生量を少なくできれば、全体の球面収差を補正のために、その他のレンズ群で発生させている逆向きの球面収差を少なくさせることができる。これは、その他のレンズ群が持っている収差補正能力を、球面収差以外の収差補正のために使うことができることを意味する。よって、球面収差以外の収差も良好に補正することができる。また、各レンズ群での収差発生量を小さくできるので、製作上の公差を緩くすることが可能となる。
【０１５６】
なお、第２８の発明の顕微鏡ズーム対物レンズにおいて、第２レンズ群の構成を第２の発明と同じようにしてもよい。また、第２０の発明の条件（１６）、（１７）を満足するようにしてもよい。
【０１５７】
第２９の発明の顕微鏡ズーム対物レンズは、第２８の発明において、前記第４レンズ群を備え、該第４レンズ群は、第３レンズ群側に凸面を向けた正レンズと負レンズの接合メニスカスレンズと、第３レンズ群側に凹面を向けたレンズ群で少なくとも構成され、条件（１２）、（１３）を満足することを特徴とする。
【０１５８】
第４レンズ群は全体として負のパワーを備える。そして、第３レンズ群側に凸面を向けた正レンズと負レンズの接合メニスカスレンズと、第３レンズ群側に凹面を向けた負のパワーを持つレンズ群で構成されている。第３レンズ群側に配置された接合メニスカスレンズは、ガウスレンズの作用を生じる。そのため、ここで軸外光束の光線高を下げられて、コマ収差が効果的に補正される。しかも、像側に配置され第３レンズ群側に凹面を向けたレンズ群に負のパワーが与えられているので、接合メニスカスレンズによって光線高を下げた光束はこの負のパワーを持つレンズ群によって無限遠光束へと変換される。
【０１５９】
また、接合メニスカスレンズは、変倍時に軸外主光線の角度と光線高をほとんど変化させない。そのため、負のパワーを持つレンズ群に入射する軸外主光線の角度と光線高は、低倍側と高倍側で略一定になるので、低倍側と高倍側の射出瞳位置の変動を抑える作用をする。
【発明の効果】
【０１６０】
本発明によると、５５ｍｍから１１０ｍｍ程度の長さで、３つのレンズ群で、低倍から高倍にわたって収差性能に優れた１０倍から４０倍、開口数が０．６の顕微鏡ズーム対物レンズを提供することができる。
【０１６１】
また、本発明によると、物体側から、正、負、正、負のパワーを持つ４つのレンズ群で、全長が８０ｍｍ程度とコンパクトでありながら、従来にない変倍比が４〜5 倍と高変倍で高開口数を備え、低倍から高倍にわたって収差性能に優れた顕微鏡ズーム対物レンズを提供することができる。しかも、射出瞳が略一定の位置に設定されているので、瞳の変動による周辺減光やシステム性の欠点がなく、システム性に優れた顕微鏡ズーム対物レンズが提供できる。
【発明を実施するための最良の形態】
【０１６２】
以下に、本発明の顕微鏡ズーム対物レンズの実施例について説明する。
【０１６３】
まず、３群構成の実施例１〜１０について説明する。以下に述べる実施例１〜１０の顕微鏡ズーム対物レンズは、無限遠設計であって、単独では結像しない。そのため、図１６に示すように、両凸レンズと物体側に凹面を向けた負メニスカスレンズとの接合レンズと、両凸レンズと両凹レンズとの接合レンズとからなり、後記するレンズデータを有する結像レンズを各実施例の顕微鏡ズーム対物レンズの像側に配置して使用する。なお、この結像レンズの焦点距離は１７９．９９４ｍｍである。
【０１６４】
また、後記する実施例１〜８の収差図は、顕微鏡ズーム対物レンズの後方に、物体から結像レンズの物体側のレンズ面までの距離を１５０ｍｍの位置に配置したときの収差図であり、実施例９〜１０の収差図は、顕微鏡ズーム対物レンズの後方に、物体から結像レンズの物体側のレンズ面までの距離を１００ｍｍの位置に配置したときの収差図である。なお、物体から結像レンズの物体側のレンズ面までの間隔が、１００〜２００ｍｍ程度の間では収差はほとんど変化しない。
【０１６５】
以下、図面と後記の各実施例のレンズデータ表を参照にして、本発明のズーム対物レンズの実施例１〜１０について説明する。なお、後記の各実施例のレンズデータ表中には、上記の結像レンズも含めて示してある。
【０１６６】
実施例１の構成を図１に示す。図１（ａ）は倍率１０Ｘ、ＮＡ０．２５、図１（ｂ）は倍率２０Ｘ、ＮＡ０．４、図１（ｃ）は倍率４０Ｘ、ＮＡ０．６の場合のレンズ断面と光路を示す。物体側から順に、正のパワーを持つ第１レンズ群Ｇ１、負のパワーを持つ第２レンズ群Ｇ２、正のパワーを持つ第３レンズ群Ｇ３で構成され、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さくなるように、第２レンズ群Ｇ２と第３レンズ群Ｇ３が光軸上を移動する。
【０１６７】
第１レンズ群Ｇ１の構成は、物体側に凹面を向け、物体側から両凹レンズと両凸レンズの接合負メニスカスレンズ、両凸レンズ、物体側に凸面を向けた負メニスカスレンズと両凸レンズの接合正レンズ、両凸レンズ、物体側に凸面を向けた負メニスカスレンズと両凸レンズの接合負レンズ、両凸レンズで構成される。第２レンズ群Ｇ２は、両凹レンズと負メニスカスレンズの接合負レンズ、両凹レンズと両凸レンズのパワーのほとんどない接合負メニスカスレンズで構成されている。第３レンズ群Ｇ３は、両凸レンズ、物体側に凸面を向けた負メニスカスレンズと両凸レンズの接合正レンズで構成されている。
【０１６８】
実施例１のズーム対物レンズは、視野数２２、１０倍から４０倍まで変倍し、開口数が０．２５から０．６である。開口絞りＳは、第１レンズ群Ｇ１と第２レンズ群Ｇ２の間にあり、第１レンズ群Ｇ１の後側焦点位置近傍に配置され、変倍と共に所定の開口数になるように絞り径が変化する機構を備えている。
【０１６９】
実施例２の構成を図２に示す。図２（ａ）は倍率１０Ｘ、ＮＡ０．２５、図２（ｂ）は倍率２０Ｘ、ＮＡ０．４、図２（ｃ）は倍率３０Ｘ、ＮＡ０．５５の場合のレンズ断面と光路を示す。物体側から順に、正のパワーを持つ第１レンズ群Ｇ１、負のパワーを持つ第２レンズ群Ｇ２、正のパワーを持つ第３レンズ群Ｇ３で構成され、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さくなるように、第２レンズ群Ｇ２と第３レンズ群Ｇ３が光軸上を移動する。
【０１７０】
第１レンズ群Ｇ１の構成は、物体側に凹面を向け、物体側から両凹レンズと両凸レンズの接合負メニスカスレンズ、両凸レンズ、両凹レンズと両凸レンズのパワーのほとんどない接合正メニスカスレンズ、両凸レンズ、両凸レンズ、物体側に凸面を向けた負メニスカスレンズと両凸レンズの接合負レンズ、物体側に凸面を向けた正メニスカスレンズで構成される。第２レンズ群Ｇ２は、物体側に凹面を向けた正メニスカスレンズと両凹レンズとパワーのほとんどない正メニスカスレンズの３枚で構成された接合負レンズ、両凹レンズと正メニスカスレンズの接合負レンズで構成されている。第３レンズ群Ｇ３は、物体側に凸面を向けた負メニスカスレンズと両凸レンズの接合正レンズ、物体側に凸面を向けた負メニスカスレンズと両凸レンズの接合正レンズで構成されている。
【０１７１】
実施例２のズーム対物レンズは、視野数２２、１０倍から３０倍まで変倍し、開口数が０．２５から０．５５である。開口絞りＳは、第１レンズ群Ｇ１と第２レンズ群Ｇ２の間にあり、第１レンズ群Ｇ１の後側焦点位置近傍に配置され、変倍と共に所定の開口数になるように、絞り径が変化する機構を備えている。
【０１７２】
実施例３の構成を図３に示す。図３（ａ）は倍率１０Ｘ、ＮＡ０．２５、図３（ｂ）は倍率２０Ｘ、ＮＡ０．４、図３（ｃ）は倍率４０Ｘ、ＮＡ０．６の場合のレンズ断面と光路を示す。物体側から順に、正のパワーを持つ第１レンズ群Ｇ１、負のパワーを持つ第２レンズ群Ｇ２、正のパワーを持つ第３レンズ群Ｇ３で構成され、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さくなるように、第２レンズ群Ｇ２と第３レンズ群Ｇ３が光軸上を移動する。
【０１７３】
第１レンズ群Ｇ１の構成は、物体側に凹面を向け、物体側から両凹レンズと両凸レンズの接合負メニスカスレンズ、物体側に凹面を向けた正メニスカスレンズ、物体側に凸面を向けた負メニスカスレンズと両凸レンズの接合正レンズ、物体側に凸面を向けた負メニスカスレンズと両凸レンズの接合正レンズ、物体側に凸面を向けた負メニスカスレンズと両凸レンズのパワーのゆるい接合正レンズ、物体側に凸面を向けたパワーのゆるい正メニスカスレンズで構成される。第２レンズ群Ｇ２は、両凹レンズと正メニスカスレンズの接合負レンズ、両凹レンズと両凸レンズの接合正メニスカスレンズで構成されている。第３レンズ群Ｇ３は、物体側に凹面を向けた正メニスカスレンズ、両凸レンズと両凹レンズのパワーの弱い接合負メニスカスレンズで構成されている。
【０１７４】
実施例３のズーム対物レンズは、視野数２２、１０倍から４０倍まで変倍し、開口数が０．２５から０．６である。開口絞りＳは、第１レンズ群Ｇ１と第２レンズ群Ｇ２の間にあり、第１レンズ群Ｇ１の後側焦点位置近傍に配置され、変倍と共に所定の開口数になるように、絞り径が変化する機構を備えている。
【０１７５】
実施例４の構成を図４に示す。図４（ａ）は倍率１０Ｘ、ＮＡ０．２５、図４（ｂ）は倍率２０Ｘ、ＮＡ０．４、図４（ｃ）は倍率３０Ｘ、ＮＡ０．５５の場合のレンズ断面と光路を示す。物体側から順に、正のパワーを持つ第１レンズ群Ｇ１、負のパワーを持つ第２レンズ群Ｇ２、正のパワーを持つ第３レンズ群Ｇ３で構成され、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さくなるように、第２レンズ群Ｇ２と第３レンズ群Ｇ３が光軸上を移動する。
【０１７６】
第１レンズ群Ｇ１の構成は、物体側に凹面を向け、物体側から両凹レンズと両凸レンズの弱いパワーを持つ接合正メニスカスレンズ、両凸レンズ、両凹レンズと両凸レンズの接合負メニスカスレンズ、物体側にゆるい凹面を向けた正メニスカスレンズ、両凸レンズ、物体側に凸面を向けた負メニスカスレンズと両凸レンズの接合正レンズ、物体側に凸面を向けた負メニスカスレンズで構成される。第２レンズ群Ｇ２は、両凹レンズと正メニスカスレンズの接合負レンズ、物体側に凹面を向けた負メニスカスレンズと正メニスカスレンズの接合正メニスカスレンズで構成されている。第３レンズ群Ｇ３は、像側にゆるい凸面を持つ両凸レンズ、物体側にゆるい凸面を向けた負メニスカスレンズと両凸レンズのパワーの弱い接合正レンズで構成されている。
【０１７７】
実施例１と同様に、開口絞りＳは、第１レンズ群Ｇ１と第２レンズ群Ｇ２の間にあり、第１レンズ群Ｇ１の後側焦点位置近傍に配置され、変倍と共に所定の開口数になるように、絞り径が変化する機構を備えている。
【０１７８】
実施例４のズーム対物レンズは、視野数２２、１０倍から３０倍まで変倍し、開口数が０．２５から０．５５である。
【０１７９】
実施例５の構成を図５に示す。図５（ａ）は倍率１０Ｘ、ＮＡ０．２５、図５（ｂ）は倍率２０Ｘ、ＮＡ０．４、図５（ｃ）は倍率３０Ｘ、ＮＡ０．５５の場合のレンズ断面と光路を示す。物体側から順に、正のパワーを持つ第１レンズ群Ｇ１、負のパワーを持つ第２レンズ群Ｇ２、正のパワーを持つ第３レンズ群Ｇ３で構成され、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さくなるように、第２レンズ群Ｇ２と第３レンズ群Ｇ３が光軸上を移動する。
【０１８０】
第１レンズ群Ｇ１の構成は、物体側に凹面を向け、物体側から両凹レンズと両凸レンズの接合負メニスカスレンズ、両凸レンズ、物体側に凸面を向けた負メニスカスレンズと両凸レンズの接合正レンズ、物体側にゆるい凸面を持つ両凸レンズ、物体側に凸面を向けた負メニスカスレンズと両凸レンズのパワーのゆるい接合正レンズ、両凸レンズで構成される。第２レンズ群Ｇ２は、物体側にゆるい凹面を向けた正メニスカスレンズと両凹レンズと正メニスカスレンズの接合負レンズ、両凹レンズと正メニスカスレンズの接合負レンズで構成されている。第３レンズ群Ｇ３は、両凹レンズと両凸レンズの接合正メニスカスレンズ、物体側に凸面を向けた負メニスカスレンズと両凸レンズの接合正レンズで構成されている。
【０１８１】
実施例５のズーム対物レンズは、視野数２２、１０倍から３０倍まで変倍し、開口数が０．２５から０．５５である。開口絞りＳは、第１レンズ群Ｇ１と第２レンズ群Ｇ２の間にあり、第１レンズ群Ｇ１の後側焦点位置近傍に配置され、変倍と共に所定の開口数になるように、絞り径が変化する機構を備えている。
【０１８２】
実施例６の構成を図６に示す。図６（ａ）は倍率１０Ｘ、ＮＡ０．２５、図６（ｂ）は倍率２０Ｘ、ＮＡ０．４、図６（ｃ）は倍率４０Ｘ、ＮＡ０．６の場合のレンズ断面と光路を示す。物体側から順に、正のパワーを持つ第１レンズ群Ｇ１、負のパワーを持つ第２レンズ群Ｇ２、正のパワーを持つ第３レンズ群Ｇ３で構成され、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さくなるように、第２レンズ群Ｇ２と第３レンズ群Ｇ３が光軸上を移動する。
【０１８３】
第１レンズ群Ｇ１の構成は、物体側に凹面を向け、物体側から両凹レンズと両凸レンズの接合負メニスカスレンズ、物体側に凹面を向けた正メニスカスレンズ、物体側に凸面を向けた負メニスカスレンズと両凸レンズの接合正レンズ、両凹レンズと両凸レンズの接合正メニスカスレンズ、物体側にゆるい凸面を向けた負メニスカスレンズと両凸レンズのパワーのほとんどない接合負レンズ、両凸レンズで構成される。第２レンズ群Ｇ２は、両凹レンズと正メニスカスレンズの接合負レンズ、両凹レンズと両凸レンズの接合正メニスカスレンズで構成されている。第３レンズ群Ｇ３は、物体側にゆるい凸面を持つ両凸レンズ、両凸レンズと両凹レンズの接合負メニスカスレンズで構成されている。
【０１８４】
実施例６のズーム対物レンズは、視野数２２、１０倍から４０倍まで変倍し、開口数が０．２５から０．６である。開口絞りＳは、第１レンズ群Ｇ１と第２レンズ群Ｇ２の間にあり、第１レンズ群Ｇ１の後側焦点位置近傍に配置され、変倍と共に所定の開口数になるように、絞り径が変化する機構を備えている。
【０１８５】
実施例７の構成を図７に示す。図７（ａ）は倍率１０Ｘ、ＮＡ０．２５、図７（ｂ）は倍率２０Ｘ、ＮＡ０．４、図７（ｃ）は倍率４０Ｘ、ＮＡ０．６の場合のレンズ断面と光路を示す。物体側から順に、正のパワーを持つ第１レンズ群Ｇ１、負のパワーを持つ第２レンズ群Ｇ２、正のパワーを持つ第３レンズ群Ｇ３で構成され、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さく、また、第１レンズ群Ｇ１は第２レンズ群Ｇ２とは光軸上を逆方向に移動するように、第１レンズ群Ｇ１、第２レンズ群Ｇ２と第３レンズ群Ｇ３が光軸上を移動する。
【０１８６】
第１レンズ群Ｇ１の構成は、物体側に凹面を向け、物体側から両凹レンズと両凸レンズの接合負メニスカスレンズ、両凸レンズ、物体側に凸面を向けた負メニスカスレンズと両凸レンズの接合正レンズ、物体側に凹面を向けた正メニスカスレンズ、物体側に凸面を向けた負メニスカスレンズと両凸レンズのパワーのゆるい接合負レンズ、両凸レンズで構成される。第２レンズ群Ｇ２は、両凹レンズと負メニスカスレンズの接合負レンズ、両凹レンズと両凸レンズのほとんどパワーのない接合負メニスカスレンズで構成されている。第３レンズ群Ｇ３は、両凸レンズ、物体側に凸面を向けた負メニスカスレンズと両凸レンズの接合正レンズで構成されている。
【０１８７】
実施例７のズーム対物レンズは、視野数２２、１０倍から４０倍まで変倍し、開口数が０．２５から０．６である。開口絞りＳは、第１レンズ群Ｇ１と第２レンズ群Ｇ２の間にあり、第１レンズ群Ｇ１の後側焦点位置近傍に配置され、変倍と共に所定の開口数になるように、絞り径が変化する機構を備えている。
【０１８８】
実施例８の構成を図８に示す。図８（ａ）は倍率１０Ｘ、ＮＡ０．２５、図８（ｂ）は倍率２０Ｘ、ＮＡ０．４、図８（ｃ）は倍率４０Ｘ、ＮＡ０．６の場合のレンズ断面と光路を示す。物体側から順に、正のパワーを持つ第１レンズ群Ｇ１、負のパワーを持つ第２レンズ群Ｇ２、正のパワーを持つ第３レンズ群Ｇ３で構成され、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さくなるように、第２レンズ群Ｇ２と第３レンズ群Ｇ３が光軸上を移動する。
【０１８９】
第１レンズ群Ｇ１の構成は、物体側に凹面を向け、物体側から両凹レンズと両凸レンズの接合負メニスカスレンズ、両凸レンズ、物体側に凸面を向けた負メニスカスレンズと両凸レンズの接合正レンズ、物体側に非常にゆるい凸面を持つ両凸レンズ、物体側に凸面を向けた負メニスカスレンズと両凸レンズのほとんどパワーのない接合負レンズ、両凸レンズで構成される。第２レンズ群Ｇ２は、両凹レンズと負メニスカスレンズの接合負レンズ、両凹レンズと両凸レンズの接合負メニスカスレンズで構成されている。第３レンズ群Ｇ３は、両凸レンズ、物体側に凸面を向けた負メニスカスレンズと両凸レンズの接合正レンズで構成されている。
【０１９０】
実施例８のズーム対物レンズは、視野数２２、１０倍から４０倍まで変倍し、開口数が０．２５から０．６である。開口絞りＳは、第１レンズ群Ｇ１と第２レンズ群Ｇ２の間にあり、第１レンズ群Ｇ１の後側焦点位置近傍に配置され、変倍と共に所定の開口数になるように、絞り径が変化する機構を備えている。
【０１９１】
実施例９の構成を図９に示す。図９（ａ）は倍率１０Ｘ、ＮＡ０．２５、図９（ｂ）は倍率２０Ｘ、ＮＡ０．４、図９（ｃ）は倍率４０Ｘ、ＮＡ０．７の場合のレンズ断面と光路を示す。物体側から順に、正のパワーを持つ第１レンズ群Ｇ１、負のパワーを持つ第２レンズ群Ｇ２、正のパワーを持つ第３レンズ群Ｇ３の３つのレンズ群で構成され、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さくなるように、第２レンズ群と第３レンズ群が光軸上を移動する。
【０１９２】
第１レンズ群Ｇ１の構成は、物体側に凹面を向け、物体側から両凹レンズと両凸レンズの接合負メニスカスレンズ、物体側に平面を向けた平凸レンズ、物体側に大きな曲率半径の凸面を向けた両凸レンズ、両凸レンズと両凹レンズと両凸レンズの３枚で構成された正の接合レンズ、物体側に凸面を向けた負メニスカスレンズと両凸レンズの接合正レンズからなる。第２レンズ群Ｇ２は、物体側に凹面を向けた正メニスカスレンズと両凹レンズの接合レンズ、両凹レンズと物体側に凸面を向けた正メニスカスレンズの接合レンズで構成されている。第３レンズ群Ｇ３は、物体側に凹面を向けた正メニスカスレンズ、物体側に凸面を向けた負メニスカスレンズと両凸レンズの接合レンズで構成されている。
【０１９３】
非球面は、第１レンズ群Ｇ１中の平凸レンズの凸面と、３枚で構成された接合正レンズの物体側の凸面と第２レンズ群Ｇ２側の凸面に配置されている。
【０１９４】
第１レンズ群Ｇ１中に配置された非球面は、高倍側の軸上マージナル光線高が高い３枚の接合正レンズと軸外主光線と従属光線の光線高が比較的高い平凸レンズ群の凸面に配置され、高倍側での球面収差とコマ収差の補正に効果的である。また、第１レンズ群Ｇ１中の３枚の接合正レンズは軸上色収差等に効果的である。また、第１レンズ群Ｇ１の物体側に配置された接合負メニスカスレンズは、ペッツバール和を抑える作用を持ち、その接合負メニスカスレンズは物体側に凹面を向けているので、コマ収差や非点収差等の軸外収差の発生を抑えるので、高倍側と低倍側での収差補正に効果的である。
【０１９５】
実施例９のズーム対物レンズは、視野数２２、１０倍から４０倍まで変倍し、開口数が０．２５から０．７である。開口絞りＳは、第１レンズ群Ｇ１と第２レンズ群Ｇ２の間にあり、第１レンズ群Ｇ１の後側焦点位置近傍に配置され、変倍と共に所定の開口数になるように、絞り径が変化する機構を備えている。
【０１９６】
実施例１０の構成を図１０に示す。図１０（ａ）は倍率１０Ｘ、ＮＡ０．２５、図１０（ｂ）は倍率２０Ｘ、ＮＡ０．４、図１０（ｃ）は倍率４０Ｘ、ＮＡ０．６５の場合のレンズ断面と光路を示す。物体側から順に、正のパワーを持つ第１レンズ群Ｇ１、負のパワーを持つ第２レンズ群Ｇ２、正のパワーを持つ第３レンズ群Ｇ３の３つのレンズ群で構成され、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さくなるように、第２レンズ群と第３レンズ群が光軸上を移動する。
【０１９７】
第１レンズ群Ｇ１の構成は、物体側から両凹レンズと凸レンズの接合負メニスカスレンズ、両凸レンズと両凹レンズと両凸レンズの３枚で接合された接合正レンズ、第２レンズ群側に非球面を備える両凸レンズ、両凸レンズ、物体側に凸面を向けた負メニスカスレンズと両凸レンズの接合正レンズで構成される。第２レンズ群Ｇ２は、第１レンズ群側に凹面をむけた正メニスカスレンズと両凹レンズの接合負レンズ、両凹レンズと物体側に凸面を向けた凸平レンズの接合負レンズで構成され、互いに凹面を向けた構成である。第３レンズ群Ｇ３は、物体側に凹面を向けた正メニスカスレンズ、物体側に凸面を向けた負メニスカスレンズと両凸レンズの接合正レンズで構成されている。
【０１９８】
第１レンズ群Ｇ１中の非球面は、高倍側の軸上マージナル光線高が高いところに配置され、球面収差の補正に効果的である。また、第１レンズ群Ｇ１の物体側に配置された接合負メニスカスレンズは、実施例９と同様に、ペッツバール和を抑えている。３枚で構成された接合正レンズについても、その接合正レンズの接合面の負屈折力により光線高を上げているので、ペッツバール和を抑え、コマ収差の補正にも効果的である。
【０１９９】
実施例１０のズーム対物レンズは、視野数２２、１０倍から４０倍まで変倍し、開口数が０．２５から０．６５である。開口絞りＳは、第１レンズ群Ｇ１と第２レンズ群Ｇ２の間にあり、第１レンズ群Ｇ１の後側焦点位置近傍に配置され、変倍と共に所定の開口数になるように、絞り径が変化する機構を備えている。
【０２００】
以上の実施例１〜１０の顕微鏡ズーム対物レンズの収差図をそれぞれ図１７〜図２６に示す。これらの収差図において、（ａ）、（ｂ）、（ｃ）はぞれぞれ図１〜図１０の（ａ）、（ｂ）、（ｃ）の状態に対応する倍率のときの収差図であり、各状態において、“ＳＡ”は球面収差、“ＡＳ”は非点収差、“ＤＺ”は軸外縦収差、“ＤＴ”は歪曲収差を示す。これら収差図中、“ＩＨ”は像高を示す。
【０２０１】
次に、本発明の４群構成の顕微鏡ズーム対物レンズの実施例１１〜１５について説明する。各実施例のレンズデータは後記するが、図１１〜図１５はそれぞれ実施例１１〜１５のレンズ構成を示す断面図であり、図１１（ａ）、（ｂ）、（ｃ）は実施例１１の１０倍、２０倍、４０倍での光路を示す断面図、図１２（ａ）、（ｂ）、（ｃ）は実施例１２の１０倍、２０倍、４０倍での光路を示す断面図、図１３（ａ）、（ｂ）、（ｃ）は実施例１３の２０倍、４０倍、８０倍での光路を示す断面図、図１４（ａ）、（ｂ）、（ｃ）は実施例１４の１０倍、２０倍、５０倍での光路を示す断面図、図１５（ａ）、（ｂ）、（ｃ）は実施例１５の１０倍、２０倍、４０倍での光路を示す断面図である。
【０２０２】
以下に述べる各実施例の顕微鏡ズーム対物レンズは、無限遠設計であって、単独では結像しない。そのため、図１６の構成で、後記するレンズデータを有する結像レンズを各実施例での顕微鏡ズーム対物レンズの像側に配置して使用する。なお、後記の各実施例のレンズデータ中にはこの結像レンズのレンズデータも含めて示してある。
【０２０３】
また、後記する各実施例の収差図は、顕微鏡ズーム対物レンズの後方に、物体から結像レンズの物体側のレンズ面までの距離を１００ｍｍの位置に配置したときの収差図である。なお、物体から結像レンズの物体側のレンズ面までの間隔が１００〜２００ｍｍ程度の間では、収差はほとんど変化しない。
【０２０４】
以下、図面と後記のレンズデータを参照にして、本発明の顕微鏡ズーム対物レンズの実施例１１〜１５について説明する。
【０２０５】
図１１に実施例１１の構成を示す。本実施例のズーム対物レンズは、物体側から順に、正のパワーを持つ第１レンズ群Ｇ１、負のパワーを持つ第２レンズ群Ｇ２、正のパワーを持つ第３レンズ群Ｇ３、負のパワーを持つ第４レンズ群Ｇ４で構成されている。そして、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さくなり、第３レンズ群Ｇ３と第４レンズ群Ｇ４の間隔が一旦大きくなり再度小さくなるように、第２レンズ群Ｇ２と第３レンズ群Ｇ３と第４レンズ群Ｇ３が光軸上を移動する。
【０２０６】
第１レンズ群Ｇ１の構成は、物体側に凹面を向け、物体側から両凹レンズと両凸レンズの接合負メニスカスレンズ、物体側に凹面を向けた負メニスカスレンズと正メニスカスレンズの接合正メニスカスレンズ、物体側に緩い凸面を向けた負メニスカスレンズと第２レンズ群Ｇ２側に強い凸面を向けた両凸レンズの接合正レンズ、両凸の単レンズ、物体側に凸面を向けた負メニスカスレンズと両凸レンズの接合負レンズで構成される。
【０２０７】
第２レンズ群Ｇ２は、両凹レンズと負メニスカスレンズの接合負レンズ、両凹レンズと両凸レンズの接合負メニスカスレンズで構成され、互いに凹面を向けた構成である。
【０２０８】
第３レンズ群Ｇ３は、両凹レンズと両凸レンズの接合正レンズ、両凸レンズで構成されている。
【０２０９】
第４レンズ群Ｇ４は、第３レンズ群Ｇ３側に凸面を向けた正メニスカスレンズと像側に凹面を向けた負メニスカスレンズのパワーの緩い正の接合メニスカスレンズ、両凹レンズと正メニスカスレンズの接合負レンズで構成されている。
【０２１０】
実施例１１のズーム対物レンズは、視野数２２、１０倍から４０倍まで変倍し、開口数が０．２５から０．６５である。開口絞りＳは、第１レンズ群Ｇ１と第２レンズ群Ｇ２の間にあり、第１レンズ群Ｇ１の後側焦点位置近傍に配置され、変倍と共に所定の開口数になるように、絞り径が変化する機構を備えている。各倍率での収差図を図２７（ａ）、（ｂ）、（ｃ）に示す。各収差図中、球面収差は“ＳＡ”、非点収差は“ＡＳ”、像高比１．０における軸外収差は“ＤＺ１”、像高比０．５における軸外収差は“ＤＺ２”、歪曲収差は“ＤＴ”で示す。また、“ＦＩＹ”は像高で、実施例１乃至実施例１０の収差図における“ＩＨ”と同じである。以下の収差図においても同じ。
【０２１１】
図１２に実施例１２の構成を示す。本実施例のズーム対物レンズは、物体側から順に、正のパワーを持つ第１レンズ群Ｇ１、負のパワーを持つ第２レンズ群Ｇ２、正のパワーを持つ第３レンズ群Ｇ３、負のパワーを持つ第４レンズ群Ｇ４で構成されている。そして、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さくなり、第３レンズ群Ｇ３と第４レンズ群Ｇ４の間隔が一旦大きくなり再度小さくなるように、第２レンズ群Ｇ２と第３レンズ群Ｇ３と第４レンズ群Ｇ４が光軸上を移動する。
【０２１２】
第１レンズ群Ｇ１の構成は、物体側に凹面を向け、物体側から両凹レンズと両凸レンズの接合負メニスカスレンズ、物体側に凹面を向けた正メニスカスレンズ、両凸レンズと両凹レンズと両凸レンズの３枚で接合された接合正レンズ、両凸レンズ、物体側に凸面を向けた負メニスカスレンズと両凸レンズの接合正レンズで構成される。
【０２１３】
第２レンズ群Ｇ２は、第１レンズ群Ｇ１側に凹面を向けた負メニスカスレンズと緩い曲率半径を持つ両凹レンズの接合負レンズ、両凹レンズと両凸レンズの接合負メニスカスレンズで構成され、互いに凹面を向けた構成である。
【０２１４】
第３レンズ群Ｇ３は、両凹レンズと両凸レンズの接合正レンズ、両凸レンズで構成されている。
【０２１５】
第４レンズ群Ｇ４は、第３レンズ群Ｇ３側に凸面を向けた正メニスカスレンズと像側に凹面を向けた負メニスカスレンズのパワーの緩い接合正メニスカスレンズ、両凹レンズと正メニスカスレンズの接合負レンズで構成されている。
【０２１６】
実施例１２のズーム対物レンズは、視野数２２、１０倍から４０倍まで変倍し、開口数が０．２５から０．６５である。開口絞りＳは、第１レンズ群Ｇ１と第２レンズ群Ｇ２の間にあり、第１レンズ群Ｇ１の後側焦点位置近傍に配置され、変倍と共に所定の開口数になるように、絞り径が変化する機構を備えている。各倍率での収差図を図２８（ａ）、（ｂ）、（ｃ）に示す。
【０２１７】
図１３に実施例１３の構成を示す。本実施例のズーム対物レンズは、物体側から順に、正のパワーを持つ第１レンズ群Ｇ１、負のパワーを持つ第２レンズ群Ｇ２、正のパワーを持つ第３レンズ群Ｇ３、負のパワーを持つ第４レンズ群Ｇ４で構成されている。そして、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さくなり、第３レンズ群Ｇ３と第４レンズ群Ｇ４の間隔が小さくなるように、第２レンズ群Ｇ２と第３レンズ群Ｇ３と第４レンズ群Ｇ４が光軸上を移動する。
【０２１８】
第１レンズ群Ｇ１の構成は、物体側に凹面を向け、物体側から両凹レンズと両凸レンズの接合負メニスカスレンズ、物体側に凹面を向けた正メニスカスレンズ、両凸レンズと両凹レンズと両凸レンズからなる接合正レンズ、物体側に凸面を向けた負メニスカスレンズと両凸レンズの接合正レンズで構成されている。
【０２１９】
ここで、第１レンズ群Ｇ１中の、両凸レンズ、両凹レンズ、両凸レンズの３枚からなる接合正レンズの物体側と第２レンズ群Ｇ２側の空気接触面は、非球面で構成されている。
【０２２０】
第２レンズ群Ｇ２は、第１レンズ群Ｇ１側に緩い凸面を持つ負メニスカスレンズ、両凹レンズと両凸レンズの接合正レンズで構成され、互いに凹面を向けた構成となっている。
【０２２１】
第３レンズ群Ｇ３は、第２レンズ群Ｇ２側に凹面を向けた正メニスカスレンズ、両凸レンズと負メニスカスレンズの接合正レンズで構成されている。
【０２２２】
第４レンズ群Ｇ４は、第３レンズ群Ｇ３側に強い凸面を向けた正メニスカスレンズと像側に強い凹面を向けた負メニスカスレンズの接合負メニスカスレンズ，両凹レンズと正メニスカスレンズの接合負レンズで構成されている。第４レンズ群Ｇ４の２つのレンズ群は互いに凹面を向けた構成となっている。
【０２２３】
ここで、第４レンズ群Ｇ４の第３レンズ群Ｇ３側に最も近い凸面形状のレンズ面は、非球面で構成されている。
【０２２４】
実施例１３のズーム対物レンズは、視野数２２、２０倍から８０倍まで変倍し、開口数が０．４から０．７７である。開口絞りＳは、第１レンズ群Ｇ１と第２レンズ群Ｇ２の間にあり、第１レンズ群Ｇ１の後側焦点位置近傍に配置され、変倍と共に所定の開口数になるように、絞り径が変化する機構を備えている。各倍率での収差図を図２９（ａ）、（ｂ）、（ｃ）に示す。
【０２２５】
実施例１３では、第１レンズ群Ｇ１中に非球面を２面、第４レンズ群Ｇ４中に非球面を１面設けることで、高開口数化と高倍率化と、全長がコンパクトでありながら射出瞳の変動を５ｍｍ以内に抑えることを実現している。
【０２２６】
図１４に実施例１４の構成を示す。本実施例のズーム対物レンズは、物体側から順に、正のパワーを持つ第１レンズ群Ｇ１、負のパワーを持つ第２レンズ群Ｇ２、正のパワーを持つ第３レンズ群Ｇ３、負のパワーを持つ第４レンズ群Ｇ４で構成されている。そして、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さくなり、第３レンズ群Ｇ３と第４レンズ群Ｇ４の間隔が一旦大きくなり再度小さくなるように、第２レンズ群Ｇ２と第３レンズ群Ｇ３と第４レンズ群Ｇ４が光軸上を移動する。
【０２２７】
第１レンズ群Ｇ１の構成は、物体側に凹面を向け、物体側から両凹レンズと両凸レンズの接合負メニスカスレンズ、物体側に緩い凹面を向けた正メニスカスレンズ、両凸レンズと負メニスカスレンズと正メニスカスレンズからなる接合正レンズ、物体側に凹面を向けた正メニスカスレンズ、物体側に凸面を向けた負メニスカスレンズと両凸レンズの接合正レンズで構成される。
【０２２８】
ここで、物体側から４つめのレンズ群である正メニスカスレンズの第２レンズ群Ｇ２側のレンズ面は、非球面で構成されている。
【０２２９】
第２レンズ群Ｇ２は、第１レンズ群Ｇ１側に凹面を向けた正メニスカスレンズと両凹レンズの接合負レンズ、両凹レンズと両凸レンズの接合負メニスカスレンズで構成され、互いに凹面を向けた構成である。
【０２３０】
第３レンズ群Ｇ３は、物体側に緩い凸面を持つ負メニスカスレンズと両凸レンズの接合正レンズ、両凸レンズで構成されている。
【０２３１】
第４レンズ群Ｇ４は、第３レンズ群Ｇ３側に凸面を向けた正メニスカスレンズと像側に凹面を向けた負メニスカスレンズのパワーの緩い接合正メニスカスレンズ、両凹レンズと正メニスカスレンズの接合負レンズで構成されている。
【０２３２】
この実施例は、実施例１１と同様に、開口絞りＳは、第１レンズ群Ｇ１と第２レンズ群Ｇ２の間にあり、第１レンズ群Ｇ１の後側焦点位置近傍に配置され、変倍と共に所定の開口数になるように、絞り径が変化する機構を備えている。
【０２３３】
実施例１４のズーム対物レンズは、視野数２２、１０倍から５０倍まで変倍し、開口数が０．２５から０．７である。各倍率での収差図を図３０（ａ）、（ｂ）、（ｃ）に示す。
【０２３４】
実施例１４では、第１レンズ群Ｇ１内の非球面により、高開口数化と高い収差性能を実現し、しかも、射出瞳位置の変動が１０ｍｍ以内とズーム低倍から高倍の範囲で略一定の値に構成されている。
【０２３５】
図１５に実施例１５の構成を示す。本実施例のズーム対物レンズは、物体側から順に、正のパワーを持つ第１レンズ群Ｇ１、負のパワーを持つ第２レンズ群Ｇ２、正のパワーを持つ第３レンズ群Ｇ３、負のパワーを持つ第４レンズ群Ｇ４で構成されている。そして、低倍側から高倍側へ変倍する際に、第１レンズ群Ｇ１と第２レンズ群Ｇ２の間隔が大きくなり、第２レンズ群Ｇ２と第３レンズ群Ｇ３の間隔が小さくなり、第３レンズ群Ｇ３と第４レンズ群Ｇ４の間隔が一旦大きくなり再度小さくなるように、第２レンズ群Ｇ２と第３レンズ群Ｇ３と第４レンズ群Ｇ４が光軸上を移動する。
【０２３６】
第１レンズ群Ｇ１の構成は、物体側に凹面を向け、物体側から両凹レンズと両凸レンズの接合負メニスカスレンズ、物体側に凹面を向けた正メニスカスレンズ、両凸レンズと両凹レンズと両凸レンズからなる接合正レンズ、物体側に非球面を持つ両凸レンズ、両凹レンズと両凸レンズの接合正メニスカスレンズで構成されている。
【０２３７】
第２レンズ群Ｇ２は、物体側に凹面を向けた負メニスカスレンズと両凹レンズの接合負レンズ、両凹レンズと両凸レンズの接合負メニスカスレンズで構成され、互いに凹面を向けた構成となっている。
【０２３８】
第３レンズ群Ｇ３は、両凹レンズと両凸レンズの接合正メニスカスレンズ、両凸レンズで構成されている。
【０２３９】
第４レンズ群Ｇ４は、物体側に凸面を向けた正メニスカスレンズと物体側に凸面を向けた負メニスカスレンズの接合正メニスカスレンズ、両凹レンズと正メニスカスレンズの接合負レンズで構成されている。第４レンズ群Ｇ４の２つのレンズ群は、互いに凹面を向けた構成となっている。
【０２４０】
第１レンズ群Ｇ１の物体側に配置された接合負メニスカスレンズは、実施例９と同様に、ペッツバール和を抑えている。３枚で構成された接合正レンズについても、その接合正レンズの接合面の負屈折力により光線高を上げているので、ペッツバール和を抑え、コマ収差や軸上色収差補正にも効果的である。高倍側の軸上マージナル光線が高い部分に非球面を配置することで、高倍側の球面収差を効果的に補正することが可能となる。
【０２４１】
実施例１５のズーム対物レンズは、視野数２２、１０倍から４０倍まで変倍し、開口数が０．２５から０．８である。開口絞りＳは、第１レンズ群Ｇ１の後側焦点位置近傍に配置され、低倍側では第２レンズ群Ｇ２が第１レンズ群Ｇ１の後側焦点位置よりも物体側に移動する。このとき、低倍側の射出瞳位置を潜らせることなく高倍側の射出瞳位置に近づける作用をする。また、開口絞りＳは所定の開口数になるように、絞り径が変化する機構を備える。各倍率での収差図を図３１（ａ）、（ｂ）、（ｃ）に示す。
【０２４２】
この実施例１５では、第１レンズ群Ｇ１中の両凸レンズの物体側に非球面を１つ配置することで、開口数が０．８で４倍の変倍比を備えながら、全長をコンパクトに構成し、４つのレンズ群の構成により射出瞳の変動を５ｍｍ以内に抑えることを実現している。
【０２４３】
以下に、上記各実施例の顕微鏡ズーム対物レンズとそれらにおいて共通に用いられている結像レンズのレンズデータを示す。記号は、上記の外、Ｍは倍率、φは開口絞り径、ＮＡは開口数、ＩＨは像高、ｒ1 、ｒ2 …は物体側から順に示した各レンズ面の曲率半径、ｄ1 、ｄ2 …は物体側から順に示した各レンズ面間の間隔、ｎd1、ｎd2…は物体側から順に示した各レンズのｄ線の屈折率、νd1、νd2…は物体側から順に示した各レンズのアッべ数である。非球面形状は、ｘを光の進行方向を正とした光軸とし、ｙを光軸と直交する方向にとると、下記の式にて表される。
【０２４４】
ｘ＝（ｙ2 ／ｒ）／［１＋｛１−（Ｋ＋１）（ｙ／ｒ）2 ｝1/2 ］
＋A4ｙ4 ＋A6ｙ6 ＋A8ｙ8 ＋ A10ｙ10
ただし、ｒは近軸曲率半径、Ｋは円錐係数、A4、A6、A8、A10 はそれぞれ４次、６次、８次、１０次の非球面係数である。
【０２４５】
ただし、上記実施例１〜１０の顕微鏡ズーム対物レンズにおいて、ｒ1 、ｒ2 は物体面とその上に配置されるカバーグラスの面の曲率半径であり、ｒ3 以下が各レンズ面の曲率半径を示し、ｄ1 はカバーグラスの厚さであり、ｄ2 はカバーグラスと顕微鏡ズーム対物レンズの第１面の間の距離である。また、上記実施例１１〜１５の顕微鏡ズーム対物レンズにおいては、ｒ0 は物体面の曲率半径、ｒ0 、ｒ1 はカバーガラスの両面の曲率半径、ｄ0 はカバーガラスの両面間の間隔、ｄ1 は作動距離、ｎd0はカバーガラスのｄ線の屈折率、νd0はカバーガラスのアッベ数である。
（実施例１）
ｒ1 =     ∞（物体面）      ｄ1 =  0.17     ｎd1 =1.521   νd1 =56.02 
ｒ2 =     ∞                ｄ2 =  1.2514   
ｒ3 =    -6.7337            ｄ3 =  1.2783   ｎd2 =1.834   νd2 =37.16 
ｒ4 =     5.9444            ｄ4 =  4.789    ｎd3 =1.651   νd3 =56.16 
ｒ5 =    -8.7211            ｄ5 =  0.1      
ｒ6 =    42.787             ｄ6 =  2.9416   ｎd4 =1.56907 νd4 =71.3  
ｒ7 =   -12.5242            ｄ7 =  0.1      
ｒ8 =    46.2811            ｄ8 =  2.2857   ｎd5 =1.788   νd5 =47.37 
ｒ9 =    13.3863            ｄ9 =  5.7435   ｎd6 =1.497   νd6 =81.54 
ｒ10=   -14.6612            ｄ10=  0.15     
ｒ11=   101.2916            ｄ11=  2.5665   ｎd7 =1.497   νd7 =81.54 
ｒ12=   -21.4783            ｄ12=  0.1      
ｒ13=    51.9492            ｄ13=  3.3424   ｎd8 =1.804   νd8 =46.57 
ｒ14=     9.1121            ｄ14=  3.9815   ｎd9 =1.43875 νd9 =94.99 
ｒ15=   -37.5765            ｄ15=  0.1      
ｒ16=    50.6501            ｄ16=  2.0367   ｎd10=1.51823 νd10=58.9  
ｒ17=  -136.7298            ｄ17=  3.3779   
ｒ18=     ∞（絞り）        ｄ18=  d1(可変) 
ｒ19=   -32.4034            ｄ19=  2.2472   ｎd11=1.741   νd11=52.64 
ｒ20=    24.5965            ｄ20=  1.5      ｎd12=1.7552  νd12=27.51 
ｒ21=    13.0278            ｄ21=  1.4452   
ｒ22=   -16.7672            ｄ22=  1.0203   ｎd13=1.51823 νd13=58.9  
ｒ23=    14.2484            ｄ23=  2.1115   ｎd14=1.80518 νd14=25.42 
ｒ24=   -84.0355            ｄ24=  d2(可変) 
ｒ25=    90.7258            ｄ25=  2.4841   ｎd15=1.48749 νd15=70.23 
ｒ26=   -44.9254            ｄ26=  0.1      
ｒ27=   200.2317            ｄ27=  2.5      ｎd16=1.7185  νd16=33.52 
ｒ28=    27.3412            ｄ28=  3.7906   ｎd17=1.48749 νd17=70.23 
ｒ29=   -29.2453            ｄ29=  d3(可変) 
ｒ30=    68.7541            ｄ30=  7.7321   ｎd18=1.48749 νd18=70.21 
ｒ31=   -37.5679            ｄ31=  3.4742   ｎd19=1.8061  νd19=40.95 
ｒ32=  -102.8477            ｄ32=  0.6973   
ｒ33=    84.3099            ｄ33=  6.0238   ｎd20=1.834   νd20=37.17 
ｒ34=   -50.71              ｄ34=  3.0298   ｎd21=1.6445  νd21=40.82 
ｒ35=    40.6619            ｄ35=157.0375   
ｒ36=     ∞（像面）        
ズームデータ
Ｍ                １０Ｘ          ２０Ｘ          ４０Ｘ
d1                  1.50356        20.3202         29.72845 
d2                 12.6587          8.6095          0.5111
d3                 84.32435        69.55691        68.24706 
φ                  4.2088          6.7442         10.1344
ＮＡ                0.25            0.4             0.6 
ＩＨ               11              11              11                       。
【０２４６】
（実施例２）
ｒ1 =     ∞（物体面）      ｄ1 =  0.1700   ｎd1 =1.521   νd1 =56.02 
ｒ2 =     ∞                ｄ2 =  1.2558   
ｒ3 =   -29.0283            ｄ3 =  2.7211   ｎd2 =1.834   νd2 =37.16 
ｒ4 =     8.8314            ｄ4 =  4.1924   ｎd3 =1.48749 νd3 =70.23 
ｒ5 =   -10.6379            ｄ5 =  0.1438   
ｒ6 =    40.7184            ｄ6 =  2.9333   ｎd4 =1.497   νd4 =81.54 
ｒ7 =   -11.9302            ｄ7 =  0.3039   
ｒ8 =  -117.4806            ｄ8 =  1.5119   ｎd5 =1.755   νd5 =52.32 
ｒ9 =    15.1444            ｄ9 =  5.6036   ｎd6 =1.43875 νd6 =94.99 
ｒ10=   -17.3463            ｄ10=  0.2288   
ｒ11=    37.5871            ｄ11=  2.6003   ｎd7 =1.497   νd7 =81.54 
ｒ12=   -45.9781            ｄ12=  0.1886   
ｒ13=   403.3639            ｄ13=  2.6142   ｎd8 =1.755   νd8 =52.32 
ｒ14=   -22.6293            ｄ14=  0.1      
ｒ15=    78.429             ｄ15=  1.5      ｎd9 =1.834   νd9 =37.16 
ｒ16=    10.6152            ｄ16=  4.4291   ｎd10=1.43875 νd10=94.99 
ｒ17=   -39.0207            ｄ17=  3.1111   
ｒ18=    21.9               ｄ18=  2.4089   ｎd11=1.755   νd11=52.32 
ｒ19=   156.282             ｄ19=  0.7027   
ｒ20=     ∞（絞り）        ｄ20=  d1(可変) 
ｒ21=  -174.9921            ｄ21=  2.4556   ｎd12=1.76182 νd12=26.52 
ｒ22=   -17.643             ｄ22=  1.3688   ｎd13=1.741   νd13=52.64 
ｒ23=     8.7892            ｄ23=  3.6611   ｎd14=1.78472 νd14=25.68 
ｒ24=     7.4509            ｄ24=  1.5433   
ｒ25=    -7.5666            ｄ25=  1        ｎd15=1.51823 νd15=58.9  
ｒ26=     9.9751            ｄ26=  2        ｎd16=1.80518 νd16=25.42 
ｒ27=    41.1135            ｄ27=  d2(可変) 
ｒ28=   109.4189            ｄ28=  2        ｎd17=1.762   νd17=40.1  
ｒ29=    41.8065            ｄ29=  4.1948   ｎd18=1.497   νd18=81.54 
ｒ30=   -21.6991            ｄ30=  0.1      
ｒ31=    93.0066            ｄ31=  2.4973   ｎd19=1.7185  νd19=33.52 
ｒ32=    31.9759            ｄ32=  4.63     ｎd20=1.497   νd20=81.54 
ｒ33=   -30.4422            ｄ33=  d3(可変) 
ｒ34=    68.7541            ｄ34=  7.7321   ｎd21=1.48749 νd21=70.21 
ｒ35=   -37.5679            ｄ35=  3.4742   ｎd22=1.8061  νd22=40.95 
ｒ36=  -102.8477            ｄ36=  0.6973   
ｒ37=    84.3099            ｄ37=  6.0238   ｎd23=1.834   νd23=37.17 
ｒ38=   -50.71              ｄ38=  3.0298   ｎd24=1.6445  νd24=40.82 
ｒ39=    40.6619            ｄ39=157.0375   
ｒ40=     ∞（像面）        
ズームデータ
Ｍ                １０Ｘ          ２０Ｘ          ３０Ｘ
d1                  3.69938         8.15942         9.64603 
d2                  8.4951          4.8404          1.1858
d3                 75.63512        74.82978        76.99777 
φ                  5.1554          8.2924         11.48
ＮＡ                0.25            0.4             0.55
ＩＨ               11              11              11                       。
【０２４７】
（実施例３）
ｒ1 =     ∞（物体面）      ｄ1 =  0.17     ｎd1 =1.521   νd1 =56.02 
ｒ2 =     ∞                ｄ2 =  1.2122   
ｒ3 =    -9.0363            ｄ3 =  1.0066   ｎd2 =1.8061  νd2 =40.92 
ｒ4 =     7.9051            ｄ4 =  2.6665   ｎd3 =1.48749 νd3 =70.23 
ｒ5 =   -15.8132            ｄ5 =  0.1      
ｒ6 =   -35.8191            ｄ6 =  2.7258   ｎd4 =1.755   νd4 =52.32 
ｒ7 =    -7.6127            ｄ7 =  0.1      
ｒ8 =    19.8866            ｄ8 =  3.9235   ｎd5 =1.8061  νd5 =40.92 
ｒ9 =    12.361             ｄ9 =  4.5515   ｎd6 =1.497   νd6 =81.54 
ｒ10=   -12.6055            ｄ10=  0.191    
ｒ11=    77.8705            ｄ11=  1.5      ｎd7 =1.6445  νd7 =40.82 
ｒ12=    16.3541            ｄ12=  3.4674   ｎd8 =1.497   νd8 =81.54 
ｒ13=   -17.8218            ｄ13=  0.1      
ｒ14=    36.3563            ｄ14=  1.499    ｎd9 =1.755   νd9 =52.32 
ｒ15=     8.1097            ｄ15=  3.9374   ｎd10=1.497   νd10=81.54 
ｒ16=   -34.0757            ｄ16=  0.1      
ｒ17=    38.4458            ｄ17=  1.6471   ｎd11=1.48749 νd11=70.23 
ｒ18=    49.5166            ｄ18=  1.5      
ｒ19=     ∞（絞り）        ｄ19=  d1(可変) 
ｒ20=   -40.313             ｄ20=  1.5      ｎd12=1.68893 νd12=31.07 
ｒ21=     5.5556            ｄ21=  2.3961   ｎd13=1.741   νd13=52.64 
ｒ22=     9.6596            ｄ22=  2.1489   
ｒ23=    -8.8235            ｄ23=  1.4      ｎd14=1.51633 νd14=64.14 
ｒ24=    18.9069            ｄ24=  3.0602   ｎd15=1.80518 νd15=25.42 
ｒ25=   -18.4418            ｄ25=  d2(可変) 
ｒ26=  -190.2618            ｄ26=  3.121    ｎd16=1.6516  νd16=58.55 
ｒ27=   -24.309             ｄ27=  0.1      
ｒ28=    53.8545            ｄ28=  4.253    ｎd17=1.48749 νd17=70.23 
ｒ29=   -24.4619            ｄ29=  2        ｎd18=1.7185  νd18=33.52 
ｒ30=   351.2811            ｄ30=  d3(可変) 
ｒ31=    68.7541            ｄ31=  7.7321   ｎd19=1.48749 νd19=70.21 
ｒ32=   -37.5679            ｄ32=  3.4742   ｎd20=1.8061  νd20=40.95 
ｒ33=  -102.8477            ｄ33=  0.6973   
ｒ34=    84.3099            ｄ34=  6.0238   ｎd21=1.834   νd21=37.17 
ｒ35=   -50.71              ｄ35=  3.0298   ｎd22=1.6445  νd22=40.82 
ｒ36=    40.6619            ｄ36=157.0375   
ｒ37=     ∞（像面）        
ズームデータ
Ｍ                １０Ｘ          ２０Ｘ          ４０Ｘ
d1                  1.04004        22.99388        33.97095 
d2                 15.6774         10.6185          0.5006
d3                 82.90536        66.01042        65.15125 
φ                  4.0526          6.4906          9.746 
ＮＡ                0.25            0.4             0.6 
ＩＨ               11              11              11                       。
【０２４８】
（実施例４）
ｒ1 =     ∞（物体面）      ｄ1 =  0.1700   ｎd1 =1.521   νd1 =56.02 
ｒ2 =     ∞                ｄ2 =  0.9086   
ｒ3 =    -8.3465            ｄ3 =  3.0098   ｎd2 =1.7859  νd2 =44.2  
ｒ4 =    35.9059            ｄ4 =  3.8833   ｎd3 =1.48749 νd3 =70.23 
ｒ5 =    -6.4314            ｄ5 =  0.1      
ｒ6 =    31.3516            ｄ6 =  3.0596   ｎd4 =1.56907 νd4 =71.3  
ｒ7 =   -10.848             ｄ7 =  0.454    
ｒ8 =   -25.0084            ｄ8 =  1.5      ｎd5 =1.755   νd5 =52.32 
ｒ9 =    13.8246            ｄ9 =  4.6417   ｎd6 =1.43875 νd6 =94.99 
ｒ10=   -13.1386            ｄ10=  0.1      
ｒ11=  -420.0332            ｄ11=  1.6676   ｎd7 =1.497   νd7 =81.54 
ｒ12=   -28.9782            ｄ12=  0.1      
ｒ13=    66.4302            ｄ13=  1.6718   ｎd8 =1.497   νd8 =81.54 
ｒ14=   -58.2051            ｄ14=  0.1      
ｒ15=    13.5075            ｄ15=  1.5      ｎd9 =1.8061  νd9 =40.92 
ｒ16=    10.0499            ｄ16=  3.7492   ｎd10=1.43875 νd10=94.99 
ｒ17=   -34.9543            ｄ17=  0.1      
ｒ18=    20.4652            ｄ18=  2.2473   ｎd11=1.51742 νd11=52.43 
ｒ19=     8.0383            ｄ19=  1.6504   
ｒ20=     ∞（絞り）        ｄ20=  d1(可変) 
ｒ21=   -37.9426            ｄ21=  1        ｎd12=1.80518 νd12=25.42 
ｒ22=    10.7939            ｄ22=  1.6234   ｎd13=1.755   νd13=52.32 
ｒ23=    30.3865            ｄ23=  1.882    
ｒ24=    -7.1914            ｄ24=  1.3844   ｎd14=1.52249 νd14=59.84 
ｒ25=   -33.8899            ｄ25=  3.973    ｎd15=1.80518 νd15=25.42 
ｒ26=   -11.1597            ｄ26=  d2(可変) 
ｒ27=    74.2462            ｄ27=  2        ｎd16=1.48749 νd16=70.23 
ｒ28= -2533.9503            ｄ28=  0.1      
ｒ29=   306.9444            ｄ29=  2.6671   ｎd17=1.8061  νd17=40.92 
ｒ30=    51.5972            ｄ30=  3.2803   ｎd18=1.497   νd18=81.54 
ｒ31=  -107.3929            ｄ31=  d3(可変) 
ｒ32=    68.7541            ｄ32=  7.7321   ｎd19=1.48749 νd19=70.23 
ｒ33=   -37.5679            ｄ33=  3.4742   ｎd20=1.8061  νd20=40.95 
ｒ34=  -102.8477            ｄ34=  0.6973   
ｒ35=    84.3099            ｄ35=  6.0238   ｎd21=1.834   νd21=37.17 
ｒ36=   -50.71              ｄ36=  3.0298   ｎd22=1.6445  νd22=40.82 
ｒ37=    40.6619            ｄ37=157.0375   
ｒ38=     ∞（像面）        
ズームデータ
Ｍ                １０Ｘ          ２０Ｘ          ３０Ｘ
d1                  0.596          22.1568         29.3437
d2                 48.8858         24.7095          0.5332
d3                 51.9947         54.6102         71.5996
φ                  3.7168          5.9484          8.179 
ＮＡ                0.25            0.4             0.55
ＩＨ               11              11              11                       。
【０２４９】
（実施例５）
ｒ1 =     ∞（物体面）      ｄ1 =  0.17     ｎd1 =1.521   νd1 =56.02 
ｒ2 =     ∞                ｄ2 =  0.8945   
ｒ3 =    -9.5638            ｄ3 =  3.3657   ｎd2 =1.8061  νd2 =40.92 
ｒ4 =    10.3506            ｄ4 =  4.2101   ｎd3 =1.48749 νd3 =70.23 
ｒ5 =    -9.6255            ｄ5 =  0.2273   
ｒ6 =    75.6687            ｄ6 =  3.6239   ｎd4 =1.755   νd4 =52.32 
ｒ7 =   -13.6112            ｄ7 =  0.5615   
ｒ8 =   150.294             ｄ8 =  1.5205   ｎd5 =1.8061  νd5 =40.92 
ｒ9 =    16.2558            ｄ9 =  5.7034   ｎd6 =1.43875 νd6 =94.99 
ｒ10=   -15.8587            ｄ10=  0.2931   
ｒ11=   492.756             ｄ11=  6.5164   ｎd7 =1.497   νd7 =81.54 
ｒ12=   -18.8068            ｄ12=  0.1      
ｒ13=    29.8741            ｄ13=  1.5      ｎd8 =1.834   νd8 =37.16 
ｒ14=    11.2851            ｄ14=  6.9642   ｎd9 =1.43875 νd9 =94.99 
ｒ15=   -48.793             ｄ15=  1.9346   
ｒ16=    25.1987            ｄ16=  2.7489   ｎd10=1.56907 νd10=71.3  
ｒ17=  -331.8308            ｄ17=  0.7      
ｒ18=     ∞（絞り）        ｄ18=  d1(可変) 
ｒ19=   -50.6542            ｄ19=  6.3045   ｎd11=1.80518 νd11=25.42 
ｒ20=   -12.715             ｄ20=  1.4188   ｎd12=1.6968  νd12=55.53 
ｒ21=     8.6825            ｄ21=  3.1734   ｎd13=1.80518 νd13=25.42 
ｒ22=    10.4294            ｄ22=  1.2264   
ｒ23=   -13.2878            ｄ23=  1.7953   ｎd14=1.5725  νd14=57.74 
ｒ24=    11.3351            ｄ24=  2.0037   ｎd15=1.834   νd15=37.16 
ｒ25=    25.9848            ｄ25=  d2(可変) 
ｒ26=   -73.3038            ｄ26=  2        ｎd16=1.59551 νd16=39.24 
ｒ27=    55.8408            ｄ27=  6.968    ｎd17=1.51633 νd17=64.14 
ｒ28=   -35.8407            ｄ28=  0.96     
ｒ29=    83.1011            ｄ29=  2.5213   ｎd18=1.7185  νd18=33.52 
ｒ30=    43.1902            ｄ30=  5.9392   ｎd19=1.497   νd19=81.54 
ｒ31=   -35.3886            ｄ31=  d3(可変) 
ｒ32=    68.7541            ｄ32=  7.7321   ｎd20=1.48749 νd20=70.21 
ｒ33=   -37.5679            ｄ33=  3.4742   ｎd21=1.8061  νd21=40.95 
ｒ34=  -102.8477            ｄ34=  0.6973   
ｒ35=    84.3099            ｄ35=  6.0238   ｎd22=1.834   νd22=37.17 
ｒ36=   -50.71              ｄ36=  3.0298   ｎd23=1.6445  νd23=40.82 
ｒ37=    40.6619            ｄ37=157.0375   
ｒ38=     ∞（像面）        
ズームデータ
Ｍ                １０Ｘ          ２０Ｘ          ３０Ｘ
d1                  3.0614          8.0932          6.83529 
d2                 14.7575          1.0034          7.8804
d3                 56.8364         65.5587         59.93961 
φ                  4.7882          7.6802         10.596 
ＮＡ                0.25            0.4             0.55
ＩＨ               11              11              11                       。
【０２５０】
（実施例６）
ｒ1 =     ∞（物体面）      ｄ1 =  0.17     ｎd1 =1.521   νd1 =56.02 
ｒ2 =     ∞                ｄ2 =  1.2393   
ｒ3 =    -7.2882            ｄ3 =  1        ｎd2 =1.8061  νd2 =40.92 
ｒ4 =     9.3364            ｄ4 =  2.8008   ｎd3 =1.48749 νd3 =70.23 
ｒ5 =    -9.2642            ｄ5 =  0.1      
ｒ6 =   -36.1528            ｄ6 =  2.3508   ｎd4 =1.755   νd4 =52.32 
ｒ7 =    -8.2813            ｄ7 =  0.1      
ｒ8 =    19.1898            ｄ8 =  3.6946   ｎd5 =1.8061  νd5 =40.92 
ｒ9 =    11.7194            ｄ9 =  4.6385   ｎd6 =1.497   νd6 =81.54 
ｒ10=   -12.4231            ｄ10=  0.4885   
ｒ11=  -148.9692            ｄ11=  1.5      ｎd7 =1.6445  νd7 =40.82 
ｒ12=    26.49              ｄ12=  3.0422   ｎd8 =1.497   νd8 =81.54 
ｒ13=   -17.2294            ｄ13=  0.1914   
ｒ14=   128.1662            ｄ14=  1.5      ｎd9 =1.755   νd9 =52.32 
ｒ15=     9.2471            ｄ15=  3.9865   ｎd10=1.497   νd10=81.54 
ｒ16=   -27.9432            ｄ16=  0.5113   
ｒ17=    50.4649            ｄ17=  2.0653   ｎd11=1.48749 νd11=70.23 
ｒ18=   -93.4836            ｄ18=  1.5      
ｒ19=     ∞（絞り）        ｄ19=  d1(可変) 
ｒ20=   -27.3478            ｄ20=  1        ｎd12=1.68893 νd12=31.07 
ｒ21=     6.5094            ｄ21=  3.2235   ｎd13=1.741   νd13=52.64 
ｒ22=    11.4964            ｄ22=  2.2337   
ｒ23=   -10.8896            ｄ23=  1.0014   ｎd14=1.51633 νd14=64.14 
ｒ24=    18.5149            ｄ24=  3.3224   ｎd15=1.80518 νd15=25.42 
ｒ25=   -20.2064            ｄ25=  d2(可変) 
ｒ26=  1064.6111            ｄ26=  3.2007   ｎd16=1.755   νd16=52.32 
ｒ27=   -29.0219            ｄ27=  0.1      
ｒ28=    33.9989            ｄ28=  4.7111   ｎd17=1.48749 νd17=70.23 
ｒ29=   -27.5562            ｄ29=  2        ｎd18=1.7185  νd18=33.52 
ｒ30=    54.4101            ｄ30=  d3(可変) 
ｒ31=    68.7541            ｄ31=  7.7321   ｎd19=1.48749 νd19=70.21 
ｒ32=   -37.5679            ｄ32=  3.4742   ｎd20=1.8061  νd20=40.95 
ｒ33=  -102.8477            ｄ33=  0.6973   
ｒ34=    84.3099            ｄ34=  6.0238   ｎd21=1.834   νd21=37.17 
ｒ35=   -50.71              ｄ35=  3.0298   ｎd22=1.6445  νd22=40.82 
ｒ36=    40.6619            ｄ36=157.0375   
ｒ37=     ∞（像面）        
ズームデータ
Ｍ                １０Ｘ          ２０Ｘ          ４０Ｘ
d1                  0.99814        42.9967         28.9972
d2                 15.19042         0.5            10.29361 
d3                 82.13944        54.8313         59.03719 
φ                  4.429           7.0904         10.6488
ＮＡ                0.25            0.4             0.6 
ＩＨ               11              11              11                       。
【０２５１】
（実施例７）
ｒ1 =     ∞（物体面）      ｄ1 =  0.17     ｎd1 =1.521   νd1 =56.02 
ｒ2 =     ∞                ｄ2 =  d1(可変) 
ｒ3 =    -8.3019            ｄ3 =  1        ｎd2 =1.834   νd2 =37.16 
ｒ4 =     6.4507            ｄ4 =  4.2918   ｎd3 =1.48749 νd3 =70.23 
ｒ5 =    -7.8311            ｄ5 =  0.1      
ｒ6 =    68.897             ｄ6 =  2.8784   ｎd4 =1.56907 νd4 =71.3  
ｒ7 =   -11.319             ｄ7 =  0.1      
ｒ8 =    45.2412            ｄ8 =  2.5681   ｎd5 =1.788   νd5 =47.37 
ｒ9 =    13.5882            ｄ9 =  5.8351   ｎd6 =1.497   νd6 =81.54 
ｒ10=   -12.5255            ｄ10=  0.2679   
ｒ11=  -149.1941            ｄ11=  2.4538   ｎd7 =1.497   νd7 =81.54 
ｒ12=   -18.0412            ｄ12=  0.1737   
ｒ13=    53.2667            ｄ13=  1.5      ｎd8 =1.804   νd8 =46.57 
ｒ14=    10.1594            ｄ14=  4.3817   ｎd9 =1.43875 νd9 =94.99 
ｒ15=   -32.9683            ｄ15=  0.1      
ｒ16=    46.3599            ｄ16=  3.5337   ｎd10=1.497   νd10=81.54 
ｒ17=  -120.4005            ｄ17=  5.2827   
ｒ18=     ∞（絞り）        ｄ18=  d2(可変) 
ｒ19=   -26.6871            ｄ19=  1.6491   ｎd11=1.741   νd11=52.64 
ｒ20=    17.3743            ｄ20=  1.5      ｎd12=1.7552  νd12=27.51 
ｒ21=    13.3797            ｄ21=  1.2996   
ｒ22=   -20.2202            ｄ22=  1        ｎd13=1.51823 νd13=58.9  
ｒ23=    13.0468            ｄ23=  2        ｎd14=1.80518 νd14=25.42 
ｒ24=  -262.3134            ｄ24=  d3(可変) 
ｒ25=    83.2607            ｄ25=  2.5      ｎd15=1.497   νd15=81.54 
ｒ26=   -43.6491            ｄ26=  0.1      
ｒ27=   178.5261            ｄ27=  2.5      ｎd16=1.7185  νd16=33.52 
ｒ28=    26.3141            ｄ28=  3.6857   ｎd17=1.48749 νd17=70.23 
ｒ29=   -31.12              ｄ29=  d4(可変) 
ｒ30=    68.7541            ｄ30=  7.7321   ｎd18=1.48749 νd18=70.21 
ｒ31=   -37.5679            ｄ31=  3.4742   ｎd19=1.8061  νd19=40.95 
ｒ32=  -102.8477            ｄ32=  0.6973   
ｒ33=    84.3099            ｄ33=  6.0238   ｎd20=1.834   νd20=37.17 
ｒ34=   -50.71              ｄ34=  3.0298   ｎd21=1.6445  νd21=40.82 
ｒ35=    40.6619            ｄ35=157.0375   
ｒ36=     ∞（像面）        
ズームデータ
Ｍ                １０Ｘ          ２０Ｘ          ４０Ｘ
d1                  1.3286          1.12623         1.12623 
d2                  2.21194        20.44934        28.60706 
d3                 12.8003          9.0681          0.4949
d4                 82.78786        68.48503        68.90051 
φ                  4.4154          7.0784         10.6458
ＮＡ                0.25            0.4             0.6 
ＩＨ               11              11              11                       。
【０２５２】
（実施例８）
ｒ1 =     ∞（物体面）      ｄ1 =  0.17     ｎd1 =1.521   νd1 =56.02 
ｒ2 =     ∞                ｄ2 =  1.0793   
ｒ3 =   -12.2497            ｄ3 =  1        ｎd2 =1.834   νd2 =37.16 
ｒ4 =     6.0798            ｄ4 =  4.2136   ｎd3 =1.48749 νd3 =70.23 
ｒ5 =    -6.9892            ｄ5 =  0.1      
ｒ6 =    38.8113            ｄ6 =  2.9273   ｎd4 =1.56907 νd4 =71.3  
ｒ7 =   -11.095             ｄ7 =  0.1163   
ｒ8 =   148.971             ｄ8 =  1.6507   ｎd5 =1.788   νd5 =47.37 
ｒ9 =    12.6434            ｄ9 =  5.655    ｎd6 =1.497   νd6 =81.54 
ｒ10=   -11.1689            ｄ10=  0.1      
ｒ11=   746.8201            ｄ11=  2.3452   ｎd7 =1.497   νd7 =81.54 
ｒ12=   -18.2582            ｄ12=  0.1      
ｒ13=    23.1461            ｄ13=  1.5      ｎd8 =1.83481 νd8 =42.72 
ｒ14=     8.6252            ｄ14=  3.6657   ｎd9 =1.43875 νd9 =94.99 
ｒ15=   -80.5901            ｄ15=  1.481    
ｒ16=    33.2709            ｄ16=  2.019    ｎd10=1.497   νd10=81.54 
ｒ17=  -925.4498            ｄ17=  1.9017   
ｒ18=     ∞（絞り）        ｄ18=  d1(可変) 
ｒ19=   -27.4001            ｄ19=  1        ｎd11=1.741   νd11=52.64 
ｒ20=    11.6867            ｄ20=  1.5      ｎd12=1.7552  νd12=27.51 
ｒ21=     9.636             ｄ21=  1.3273   
ｒ22=   -13.2227            ｄ22=  1        ｎd13=1.51823 νd13=58.9  
ｒ23=    10.7098            ｄ23=  2        ｎd14=1.80518 νd14=25.42 
ｒ24=  -448.6151            ｄ24=  d2(可変) 
ｒ25=    78.0384            ｄ25=  2.5      ｎd15=1.497   νd15=81.54 
ｒ26=   -28.0274            ｄ26=  0.1      
ｒ27=   129.6035            ｄ27=  2.5      ｎd16=1.7185  νd16=33.52 
ｒ28=    21.5549            ｄ28=  3.7885   ｎd17=1.48749 νd17=70.23 
ｒ29=   -26.524             ｄ29=  d3(可変) 
ｒ30=    68.7541            ｄ30=  7.7321   ｎd18=1.48749 νd18=70.21 
ｒ31=   -37.5679            ｄ31=  3.4742   ｎd19=1.8061  νd19=40.95 
ｒ32=  -102.8477            ｄ32=  0.6973   
ｒ33=    84.3099            ｄ33=  6.0238   ｎd20=1.834   νd20=37.17 
ｒ34=   -50.71              ｄ34=  3.0298   ｎd21=1.6445  νd21=40.82 
ｒ35=    40.6619            ｄ35=157.0375   
ｒ36=     ∞（像面）        
ズームデータ
Ｍ                １０Ｘ          ２０Ｘ          ４０Ｘ
d1                  0.49981        18.48428        12.48916 
d2                  9.71567         0.5             6.64372 
d3                 94.04392        85.27516        85.12652 
φ                  3.925           6.2938          9.4746
ＮＡ                0.25            0.4             0.6 
ＩＨ               11              11              11                       。
【０２５３】
（実施例９）
ｒ1 =     ∞（物体面）      ｄ1 =  0.17     ｎd1 =1.521   νd1 =56.02 
ｒ2 =     ∞                ｄ2 =  1.0976   
ｒ3 =    -9.4339            ｄ3 =  3.077    ｎd2 =1.834   νd2 =37.16 
ｒ4 =     9.0446            ｄ4 =  6.616    ｎd3 =1.58913 νd3 =61.14 
ｒ5 =    -9.9879            ｄ5 =  0.1      
ｒ6 =     ∞                ｄ6 =  3.833    ｎd4 =1.56907 νd4 =71.3  
ｒ7 =   -15.3749（非球面）  ｄ7 =  0.1      
ｒ8 =   583.6711            ｄ8 =  3.414    ｎd5 =1.43875 νd5 =94.99 
ｒ9 =   -22.1172            ｄ9 =  0.1      
ｒ10=    35.9588（非球面）  ｄ10=  3.828    ｎd6 =1.43875 νd6 =94.99 
ｒ11=   -95.4689            ｄ11=  1.5      ｎd7 =1.834   νd7 =37.16 
ｒ12=    37.0658            ｄ12=  6.716    ｎd8 =1.43875 νd8 =94.99 
ｒ13=   -13.1119（非球面）  ｄ13=  0.1      
ｒ14=    16.7009            ｄ14=  1.8      ｎd9 =1.804   νd9 =46.57 
ｒ15=     8.6521            ｄ15=  7.834    ｎd10=1.43875 νd10=94.99 
ｒ16=   -27.3134            ｄ16=  1.5      
ｒ17=     ∞（絞り）        ｄ17=  d1(可変) 
ｒ18=  -343.869             ｄ18=  5        ｎd11=1.80518 νd11=25.42 
ｒ19=    -9.8807            ｄ19=  1        ｎd12=1.67003 νd12=47.23 
ｒ20=    10.0314            ｄ20=  1.2366   
ｒ21=   -11.1509            ｄ21=  1        ｎd13=1.755   νd13=52.32 
ｒ22=    10.8034            ｄ22=  1.9      ｎd14=1.74    νd14=28.3  
ｒ23=    90.7682            ｄ23=  d2(可変) 
ｒ24=  -531.983             ｄ24=  3.644    ｎd15=1.56907 νd15=71.3  
ｒ25=   -42.3948            ｄ15=  0.1      
ｒ26=   132.2199            ｄ16=  2        ｎd16=1.76182 νd16=26.52 
ｒ27=    54.4167            ｄ17=  4.585    ｎd17=1.497   νd17=81.54 
ｒ28=   -79.3145            ｄ18=  d3(可変) 
ｒ29=    68.7541            ｄ19=  7.7321   ｎd18=1.48749 νd18=70.21 
ｒ30=   -37.5679            ｄ20=  3.4742   ｎd19=1.8061  νd19=40.95 
ｒ31=  -102.848             ｄ21=  0.6973   
ｒ32=    84.3099            ｄ22=  6.0238   ｎd20=1.834   νd20=37.17 
ｒ33=   -50.71              ｄ23=  3.0298   ｎd21=1.6445  νd21=40.82 
ｒ34=    40.6619            ｄ24=157.0436   
ｒ35=     ∞（像面）        
非球面係数
第７面
Ｋ = 0
A4 = 6.7137 ×10-6
A6 =-1.2296 ×10-7
A8 = 0
A10= 0
第１０面
Ｋ = 0
A4 = 7.5356 ×10-7
A6 = 1.9643 ×10-8
A8 = 0
A10= 0
第１３面
Ｋ =-0.8448 
A4 = 3.0742 ×10-5
A6 = 1.4891 ×10-9
A8 = 0
A10= 0
ズームデータ
Ｍ                １０Ｘ          ２０Ｘ          ４０Ｘ
d1                  0.99158         3.64313         4.96891 
d2                 29.48771        19.82495         0.49977 
d3                  7.26951        14.28073        32.28012 
φ                  4.125           6.823          19.295   
ＮＡ                0.25            0.4             0.7 
ＩＨ               11              11              11                       。
【０２５４】
（実施例１０）
ｒ1 =     ∞（物体面）      ｄ1 =  0.17     ｎd1 =1.521   νd1 =56.02 
ｒ2 =     ∞                ｄ2 =  1.2112         1 
ｒ3 =    -4.9361            ｄ3 =  1.02     ｎd2 =1.7847  νd2 =26.29 
ｒ4 =   253.4277            ｄ4 =  2.3777   ｎd3 =1.48749 νd3 =70.23 
ｒ5 =    -4.9396            ｄ5 =  0.4471         1     
ｒ6 =    12.8957            ｄ6 =  5.093    ｎd4 =1.497   νd4 =81.54 
ｒ7 =    -7.0306            ｄ7 =  1.642    ｎd5 =1.741   νd5 =52.64 
ｒ8 =    19.9591            ｄ8 =  4.62     ｎd6 =1.43875 νd6 =94.99 
ｒ9 =   -13.8083            ｄ9 =  0.1            1 
ｒ10=    31.338             ｄ10=  4.94     ｎd7 =1.497   νd7 =81.54 
ｒ11=   -16.0632（非球面）  ｄ11=  0.1            1   
ｒ12=    26.2537            ｄ12=  5.3      ｎd8 =1.43875 νd8 =94.99 
ｒ13=   -22.8474            ｄ13=  0.1            1 
ｒ14=    17.5164            ｄ14=  1.66     ｎd9 =1.804   νd9 =46.57 
ｒ15=     8.0689            ｄ15=  5.985    ｎd10=1.43875 νd10=94.99 
ｒ16=   -56.7416            ｄ16=  2.7635         1     
ｒ17=     ∞（絞り）        ｄ17=  d1(可変)       1 
ｒ18=   -39.6951            ｄ18=  1.56     ｎd11=1.80518 νd11=25.42 
ｒ19=    -7.829             ｄ19=  0.937    ｎd12=1.67003 νd12=47.23 
ｒ20=     8.7512            ｄ20=  1.0237         1     
ｒ21=    -9.3583            ｄ21=  0.99     ｎd13=1.72916 νd13=54.68 
ｒ22=    14.0731            ｄ22=  1.9816   ｎd14=1.74    νd14=28.3  
ｒ23=     ∞                ｄ23=  d2(可変)       1 
ｒ24=  -578.072             ｄ24=  2.965    ｎd15=1.497   νd15=81.54 
ｒ25=   -22.7327            ｄ15=  0.1            1 
ｒ26=   109.3114            ｄ16=  1.95     ｎd16=1.76182 νd16=26.52 
ｒ27=    37.3998            ｄ17=  3.765    ｎd17=1.497   νd17=81.54 
ｒ28=   -36.9985            ｄ18=  d3(可変)       1   
ｒ29=    68.7541            ｄ19=  7.7321   ｎd18=1.48749 νd18=70.21 
ｒ30=   -37.5679            ｄ20=  3.4742   ｎd19=1.8061  νd19=40.95 
ｒ31=  -102.848             ｄ21=  0.6973         1     
ｒ32=    84.3099            ｄ22=  6.0238   ｎd20=1.834   νd20=37.17 
ｒ33=   -50.71              ｄ23=  3.0298   ｎd21=1.6445  νd21=40.82 
ｒ34=    40.6619            ｄ24=157.0436   
ｒ35=     ∞（像面）        
非球面係数
第１１面
Ｋ =-0.0639 
A4 = 6.3528 ×10-5
A6 = 2.5357 ×10-7
A8 = 1.0715 ×10-9
A10= 0
ズームデータ
Ｍ                １０Ｘ          ２０Ｘ          ４０Ｘ
d1                  2.90471         7.02218         9.08107 
d2                 13.81621         9.39132         0.54182 
d3                 30.47728        30.7847         37.57531 
φ                  4.18            6.73           11.03  
ＮＡ                0.25            0.4             0.65
ＩＨ               11              11              11                       。
【０２５５】
（実施例１１）
ｒ0 =     ∞（物体面）      ｄ0 =  0.1700   ｎd0 =1.521   νd0 =56.02 
ｒ1 =     ∞                ｄ1 =  1.2356   
ｒ2 =    -6.1723            ｄ2 =  1.0726   ｎd1 =1.834   νd1 =37.16 
ｒ3 =    10.8292            ｄ3 =  4.0318   ｎd2 =1.48749 νd2 =70.23 
ｒ4 =    -5.0915            ｄ4 =  0.13     
ｒ5 =   -25.5833            ｄ5 =  1.6331   ｎd3 =1.58144 νd3 =40.75 
ｒ6 =   -46.648             ｄ6 =  3.7009   ｎd4 =1.755   νd4 =52.32 
ｒ7 =   -11.7579            ｄ7 =  0.1      
ｒ8 =   205.695             ｄ8 =  1.7      ｎd5 =1.8061  νd5 =40.92 
ｒ9 =    26.4027            ｄ9 =  7.0346   ｎd6 =1.43875 νd6 =94.99 
ｒ10=   -11.9025            ｄ10=  0.1      
ｒ11=    43.7949            ｄ11=  3.0837   ｎd7 =1.43875 νd7 =94.99 
ｒ12=   -34.6252            ｄ12=  0.13     
ｒ13=    20.6705            ｄ13=  1.8      ｎd8 =1.834   νd8 =37.16 
ｒ14=     9.3595            ｄ14=  4.8933   ｎd9 =1.43875 νd9 =94.99 
ｒ15=   -47.5505            ｄ15= （可変）  
ｒ16=   -22.9975            ｄ16=  1        ｎd10=1.74077 νd10=27.79 
ｒ17=   244.4197            ｄ17=  1        ｎd11=1.755   νd11=52.32 
ｒ18=    13.5521            ｄ18=  1.1141   
ｒ19=   -15.2756            ｄ19=  1.0451   ｎd12=1.755   νd12=52.32 
ｒ20=    11.9507            ｄ20=  2.4994   ｎd13=1.80518 νd13=25.42 
ｒ21=   -33.2919            ｄ21= （可変）  
ｒ22=   -88.3292            ｄ22=  1.7      ｎd14=1.76182 νd14=26.52 
ｒ23=    32.7918            ｄ23=  3.4191   ｎd15=1.497   νd15=81.54 
ｒ24=   -18.596             ｄ24=  0.1      
ｒ25=    52.2958            ｄ25=  3.1779   ｎd16=1.56907 νd16=71.3  
ｒ26=   -20.5559            ｄ26= （可変）  
ｒ27=    23.96              ｄ27=  2.4303   ｎd17=1.755   νd17=52.32 
ｒ28=   144.8645            ｄ28=  1.5653   ｎd18=1.64769 νd18=33.79 
ｒ29=    24.0201            ｄ29=  1.8706   
ｒ30=   -20.4538            ｄ30=  2.0686   ｎd19=1.48749 νd19=70.23 
ｒ31=    13.5988            ｄ31=  2.3819   ｎd20=1.76182 νd20=26.52 
ｒ32=    22.3222            ｄ32= （可変）  
ｒ33=    68.7541            ｄ33=  7.7321   ｎd21=1.48749 νd21=70.21 
ｒ34=   -37.5679            ｄ34=  3.4742   ｎd22=1.8061  νd22=40.95 
ｒ35=  -102.848             ｄ35=  0.6973   
ｒ36=    84.3099            ｄ36=  6.0238   ｎd23=1.834   νd23=37.17 
ｒ37=   -50.71              ｄ37=  3.0298   ｎd24=1.6445  νd24=40.82 
ｒ38=    40.6619            ｄ38=157.044    
ｒ39=     ∞（像面）        
ズームデータ
Ｍ                  １０×          ２０×          ４０×
ｄ15                0.38352         6.83303        16.30202 
ｄ21               12.96662         6.74751         0.6 
ｄ26                0.41479        10.40162         0.72419 
ｄ32               30.04721        19.83           26.18594 
φ                  3.8504          6.1938         10.2078
ＮＡ                0.25            0.4             0.65
ＩＨ               11              11              11                       。
【０２５６】
（実施例１２）
ｒ0 =     ∞（物体面）      ｄ0 =  0.17     ｎd0 =1.521   νd0 =56.02 
ｒ1 =     ∞                ｄ1 =  1.1908   
ｒ2 =    -5.2082            ｄ2 =  1.075    ｎd1 =1.834   νd1 =37.16 
ｒ3 =    13.6112            ｄ3 =  4.1376   ｎd2 =1.48749 νd2 =70.23 
ｒ4 =    -6.0079            ｄ4 =  0.1201   
ｒ5 =   -21.8606            ｄ5 =  3.5287   ｎd3 =1.56907 νd3 =71.3  
ｒ6 =    -7.6931            ｄ6 =  0.0982   
ｒ7 =    57.6991            ｄ7 =  4.0315   ｎd4 =1.43875 νd4 =94.99 
ｒ8 =   -26.9214            ｄ8 =  1.8339   ｎd5 =1.804   νd5 =46.57 
ｒ9 =    75.9201            ｄ9 =  3.7667   ｎd6 =1.497   νd6 =81.54 
ｒ10=   -14.2079            ｄ10=  0.1145   
ｒ11=    70.5171            ｄ11=  3.2432   ｎd7 =1.43875 νd7 =94.99 
ｒ12=   -22.3737            ｄ12=  0.12     
ｒ13=    17.6178            ｄ13=  1.8      ｎd8 =1.834   νd8 =37.16 
ｒ14=     9.011             ｄ14=  4.7951   ｎd9 =1.43875 νd9 =94.99 
ｒ15=   -66.6761            ｄ15= （可変）  
ｒ16=   -21.8288            ｄ16=  1        ｎd10=1.80518 νd10=25.42 
ｒ17=   -74.8722            ｄ17=  1        ｎd11=1.755   νd11=52.32 
ｒ18=    14.2521            ｄ18=  1.1384   
ｒ19=   -16.2484            ｄ19=  1.0965   ｎd12=1.755   νd12=52.32 
ｒ20=    12.2275            ｄ20=  2.5339   ｎd13=1.80518 νd13=25.42 
ｒ21=   -32.7966            ｄ21= （可変）  
ｒ22=  -114.5855            ｄ22=  1.8024   ｎd14=1.76182 νd14=26.52 
ｒ23=    32.6428            ｄ23=  3.3707   ｎd15=1.497   νd15=81.54 
ｒ24=   -19.6972            ｄ24=  0.1      
ｒ25=    67.3471            ｄ25=  3.1855   ｎd16=1.56907 νd16=71.3  
ｒ26=   -19.7906            ｄ26= （可変）  
ｒ27=    19.8944            ｄ27=  2.3054   ｎd17=1.48749 νd17=70.23 
ｒ28=    93.7002            ｄ28=  1.5318   ｎd18=1.72151 νd18=29.23 
ｒ29=    37.2242            ｄ29=  1.5207   
ｒ30=   -23.6932            ｄ30=  2.2122   ｎd19=1.48749 νd19=70.23 
ｒ31=    12.6106            ｄ31=  2.3881   ｎd20=1.76182 νd20=26.52 
ｒ32=    18.8143            ｄ32= （可変）  
ｒ33=    68.7541            ｄ33=  7.7321   ｎd21=1.48749 νd21=70.21 
ｒ34=   -37.5679            ｄ34=  3.4742   ｎd22=1.8061  νd22=40.95 
ｒ35=  -102.848             ｄ35=  0.6973   
ｒ36=    84.3099            ｄ36=  6.0238   ｎd23=1.834   νd23=37.17 
ｒ37=   -50.71              ｄ37=  3.0298   ｎd24=1.6445  νd24=40.82 
ｒ38=    40.6619            ｄ38=157.0424   
ｒ39=     ∞（像面）        
ズームデータ
Ｍ                  １０×          ２０×          ４０×
ｄ15                0.5             7.49119        16.44147 
ｄ21               12.98785         6.8839          0.7617
ｄ26                0.23856        10.28993         4.10423 
ｄ32               31.06254        20.12393        23.48155 
φ                  3.7602          6.0472          9.9794
ＮＡ                0.25            0.4             0.65
ＩＨ               11              11              11                       。
【０２５７】
（実施例１３）
ｒ0 =     ∞（物体面）      ｄ0 =  0.17     ｎd0 =1.521   νd0 =56.02 
ｒ1 =     ∞                ｄ1 =  0.8165   
ｒ2 =    -5.3778            ｄ2 =  1.4437   ｎd1 =1.834   νd1 =37.16 
ｒ3 =    11.1876            ｄ3 =  3.7347   ｎd2 =1.618   νd2 =63.33 
ｒ4 =    -6.6576            ｄ4 =  0.1      
ｒ5 =   -72.121             ｄ5 =  3.9419   ｎd3 =1.56907 νd3 =71.3  
ｒ6 =    -8.6944            ｄ6 =  0.1      
ｒ7 =    17.302 （非球面）  ｄ7 =  3.8931   ｎd4 =1.497   νd4 =81.54 
ｒ8 =   -55.3616            ｄ8 =  1.8      ｎd5 =1.755   νd5 =52.32 
ｒ9 =    28.3148            ｄ9 =  4.6226   ｎd6 =1.497   νd6 =81.54 
ｒ10=   -10.9826（非球面）  ｄ10=  0.1      
ｒ11=    26.2489            ｄ11=  1.8      ｎd7 =1.834   νd7 =37.16 
ｒ12=     9.1408            ｄ12=  7.0227   ｎd8 =1.43875 νd8 =94.99 
ｒ13=   -12.2202            ｄ13= （可変）  
ｒ14=   300.7783            ｄ14=  1        ｎd9 =1.7725  νd9 =49.6  
ｒ15=    11.1272            ｄ15=  1.3752   
ｒ16=   -12.1308            ｄ16=  1        ｎd10=1.755   νd10=52.32 
ｒ17=    10.3434            ｄ17=  2.0633   ｎd11=1.80518 νd11=25.42 
ｒ18=  -204.8764            ｄ18= （可変）  
ｒ19=  -141.788             ｄ19=  2.8978   ｎd12=1.56907 νd12=71.3  
ｒ20=   -18.9119            ｄ20=  0.1      
ｒ21=    37.1991            ｄ21=  4.8003   ｎd13=1.43875 νd13=94.99 
ｒ22=   -15.948             ｄ22=  2        ｎd14=1.7847  νd14=26.29 
ｒ23=   -28.1402            ｄ23= （可変）  
ｒ24=    11.0963（非球面）  ｄ24=  6.6402   ｎd15=1.804   νd15=46.57 
ｒ25=   257.9154            ｄ25=  2.7756   ｎd16=1.7552  νd16=27.51 
ｒ26=     5.4561            ｄ26=  3.7145   
ｒ27=   -14.6275            ｄ27=  1.5      ｎd17=1.51633 νd17=64.14 
ｒ28=     8.9353            ｄ28=  2.5581   ｎd18=1.80518 νd18=25.42 
ｒ29=    71.2871            ｄ29= （可変）  
ｒ30=    68.7541            ｄ30=  7.7321   ｎd19=1.48749 νd19=70.21 
ｒ31=   -37.5679            ｄ31=  3.4742   ｎd20=1.8061  νd20=40.95 
ｒ32=  -102.848             ｄ32=  0.6973   
ｒ33=    84.3099            ｄ33=  6.0238   ｎd21=1.834   νd21=37.17 
ｒ34=   -50.71              ｄ34=  3.0298   ｎd22=1.6445  νd22=40.82 
ｒ35=    40.6619            ｄ35=157.037    
ｒ36=     ∞（像面）        
非球面係数
第７面
Ｋ =-0.0009 
A4 =-3.8520 ×10-5
A6 = 2.2226 ×10-6
A8 =-1.9103 ×10-8
A10= 8.8322 ×10-11 
第１０面
Ｋ = 0.1287 
A4 = 2.0670 ×10-4
A6 = 1.2544 ×10-6
A8 = 9.4915 ×10-9
A10= 1.8356 ×10-11 
第２４面
Ｋ =-0.0047 
A4 =-9.7014 ×10-7
A6 =-2.9352 ×10-9
A8 =-1.0273 ×10-13 
A10=-6.5452 ×10-13 
ズームデータ
Ｍ                  ２０×          ４０×          ８０×
ｄ13                0.3             8.99223        12.8866
ｄ18               13.14247         9.1427          0.5094
ｄ23                5.38548         1.06496         0.1 
ｄ29               19.20194        18.83           24.53389 
φ                  5.8654          9.5918         11.4132
ＮＡ                0.4             0.65            0.77
ＩＨ               11              11              11                       。
【０２５８】
（実施例１４）
ｒ0 =     ∞（物体面）      ｄ0 =  0.1700   ｎd0 =1.521   νd0 =56.02 
ｒ1 =     ∞                ｄ1 =  1.0467   
ｒ2 =    -4.6838            ｄ2 =  0.95     ｎd1 =1.834   νd1 =37.16 
ｒ3 =    15.3023            ｄ3 =  4.0296   ｎd2 =1.48749 νd2 =70.23 
ｒ4 =    -5.936             ｄ4 =  0.12     
ｒ5 =   -96.3863            ｄ5 =  3.3714   ｎd3 =1.497   νd3 =81.54 
ｒ6 =    -9.8668            ｄ6 =  0.1      
ｒ7 =    27.6788            ｄ7 =  4.03     ｎd4 =1.43875 νd4 =94.99 
ｒ8 =   -13.0279            ｄ8 =  1.6487   ｎd5 =1.804   νd5 =46.57 
ｒ9 =   -39.2791            ｄ9 =  3.5349   ｎd6 =1.43875 νd6 =94.99 
ｒ10=   -13.5942            ｄ10=  0.1      
ｒ11=   -37.2729            ｄ11=  3.6487   ｎd7 =1.43875 νd7 =94.99 
ｒ12=   -11.6431（非球面）  ｄ12=  0.12     
ｒ13=    15.2985            ｄ13=  1.8      ｎd8 =1.834   νd8 =37.16 
ｒ14=     8.9276            ｄ14=  5.7099   ｎd9 =1.43875 νd9 =94.99 
ｒ15=   -90.2351            ｄ15= （可変）  
ｒ16=   -46.7467            ｄ16=  1.0769   ｎd10=1.6516  νd10=58.55 
ｒ17=   -10.3482            ｄ17=  0.8814   ｎd11=1.755   νd11=52.32 
ｒ18=    14.1417            ｄ18=  1.063    
ｒ19=   -21.4981            ｄ19=  0.9987   ｎd12=1.755   νd12=52.32 
ｒ20=     9.5433            ｄ20=  2.1265   ｎd13=1.80518 νd13=25.42 
ｒ21=   425.3494            ｄ21= （可変）  
ｒ22=   636.6315            ｄ22=  1.7      ｎd14=1.76182 νd14=26.52 
ｒ23=    23.9718            ｄ23=  3.6636   ｎd15=1.497   νd15=81.54 
ｒ24=   -20.9516            ｄ24=  0.1      
ｒ25=    43.2308            ｄ25=  3.3464   ｎd16=1.56907 νd16=71.3  
ｒ26=   -21.9993            ｄ26= （可変）  
ｒ27=    17.5744            ｄ27=  2.2306   ｎd17=1.48749 νd17=70.23 
ｒ28=    48.9683            ｄ28=  1.5245   ｎd18=1.72151 νd18=29.23 
ｒ29=    26.8697            ｄ29=  1.5488   
ｒ30=   -27.9057            ｄ30=  1.5616   ｎd19=1.48749 νd19=70.23 
ｒ31=    11.0269            ｄ31=  2.4369   ｎd20=1.76182 νd20=26.52 
ｒ32=    15.4453            ｄ32= （可変）  
ｒ33=    68.7541            ｄ33=  7.7321   ｎd21=1.48749 νd21=70.21 
ｒ34=   -37.5679            ｄ34=  3.4742   ｎd22=1.8061  νd22=40.95 
ｒ35=  -102.848             ｄ35=  0.6973   
ｒ36=    84.3099            ｄ36=  6.0238   ｎd23=1.834   νd23=37.17 
ｒ37=   -50.71              ｄ37=  3.0298   ｎd24=1.6445  νd24=40.82 
ｒ38=    40.6619            ｄ38=157.0442   
ｒ39=     ∞（像面）        
非球面係数
第１２面
Ｋ =-0.0787 
A4 = 6.9409 ×10-5
A6 = 4.4095 ×10-7
A8 =-3.1306 ×10-10 
A10= 2.5936 ×10-11 
ズームデータ
Ｍ                  １０×          ２０×          ５０×
ｄ15                0.09132         6.20702        17.25153 
ｄ21               13.379           7.64936         0.35
ｄ26                0.1            11.87463         6.19564 
ｄ32               31.79069        19.63           21.56384 
φ                  3.7736          6.0648         10.7856
ＮＡ                0.25            0.4             0.7 
ＩＨ               11              11              11                       。
【０２５９】
（実施例１５）
ｒ0 =     ∞（物体面）      ｄ0 =  0.17     ｎd0 =1.521   νd0 =56.02 
ｒ1 =     ∞                ｄ1 =  0.8747   
ｒ2 =    -5.2346            ｄ2 =  1        ｎd1 =1.8061  νd1 =40.92 
ｒ3 =    24.4918            ｄ3 =  5.659    ｎd2 =1.58913 νd2 =61.14 
ｒ4 =    -6.0829            ｄ4 =  0.12     
ｒ5 =   -21.7561            ｄ5 =  4.169    ｎd3 =1.56907 νd3 =71.3  
ｒ6 =    -8.8997            ｄ6 =  0.08     
ｒ7 =   873.3181            ｄ7 =  2.902    ｎd4 =1.43875 νd4 =94.99 
ｒ8 =   -21.0051            ｄ8 =  1.7      ｎd5 =1.79952 νd5 =42.22 
ｒ9 =   120.262             ｄ9 =  5.133    ｎd6 =1.43875 νd6 =94.99 
ｒ10=   -14.7095            ｄ10=  0.1      
ｒ11=    35.5168（非球面）  ｄ11=  3.702    ｎd7 =1.43875 νd7 =94.99 
ｒ12=   -32.3425            ｄ12=  0.12     
ｒ13=  -215.137             ｄ13=  1.8      ｎd8 =1.834   νd8 =37.16 
ｒ14=    32.5105            ｄ14=  6        ｎd9 =1.43875 νd9 =94.99 
ｒ15=   -17.613             ｄ15= （可変）  
ｒ16=   -19.7607            ｄ16=  1.123    ｎd10=1.7847  νd10=26.29 
ｒ17=   -74.928             ｄ17=  0.9      ｎd11=1.741   νd11=52.64 
ｒ18=    18.4364            ｄ18=  1.0552   
ｒ19=   -37.0731            ｄ19=  1        ｎd12=1.755   νd12=52.32 
ｒ20=    11.0737            ｄ20=  2.616    ｎd13=1.80518 νd13=25.42 
ｒ21=   -73.7195            ｄ21= （可変）  
ｒ22=   -93.7329            ｄ22=  1.662    ｎd14=1.76182 νd14=26.52 
ｒ23=    23.2485            ｄ23=  3.853    ｎd15=1.497   νd15=81.54 
ｒ24=   -18.9264            ｄ24=  0.1      
ｒ25=    41.5479            ｄ25=  3.554    ｎd16=1.56907 νd16=71.3  
ｒ26=   -19.4396            ｄ26= （可変）  
ｒ27=    14.341             ｄ27=  1.734    ｎd17=1.6516  νd17=58.55 
ｒ28=    18.4908            ｄ28=  1.16     ｎd18=1.7495  νd18=35.28 
ｒ29=    15.6445            ｄ29=  2.1785   
ｒ30=   -19.7504            ｄ30=  1.555    ｎd19=1.48749 νd19=70.23 
ｒ31=    10.0325            ｄ31=  2        ｎd20=1.76182 νd20=26.52 
ｒ32=    14.7362            ｄ32= （可変）  
ｒ33=    68.7541            ｄ33=  7.7321   ｎd21=1.48749 νd21=70.21 
ｒ34=   -37.5679            ｄ34=  3.4742   ｎd22=1.8061  νd22=40.95 
ｒ35=  -102.848             ｄ35=  0.6973   
ｒ36=    84.3099            ｄ36=  6.0238   ｎd23=1.834   νd23=37.17 
ｒ37=   -50.71              ｄ37=  3.0298   ｎd24=1.6445  νd24=40.82 
ｒ38=    40.6619            ｄ38=157.0429   
ｒ39=     ∞（像面）        
非球面係数
第１１面
Ｋ =-0.3472 
A4 =-5.7751 ×10-5
A6 =-6.8382 ×10-8
A8 = 7.4416 ×10-11 
A10= 0
ズームデータ
Ｍ                  １０×          ２０×          ４０×
ｄ15                0.11998         6.42908        22.58975 
ｄ21               14.4233          5.29924         0.29994 
ｄ26                0.30176        10.23431         0.29994 
ｄ32               27.13454        20.01694        18.79004 
φ                  4.39788         7.08146        14.62196 
ＮＡ                0.25            0.4             0.8 
ＩＨ               11              11              11                       。
【０２６０】
（結像レンズ）
ｒ1 =    68.7541            ｄ1 =  7.7321   ｎd1 =1.48749 νd1 =70.21 
ｒ2 =   -37.5679            ｄ2 =  3.4742   ｎd2 =1.8061  νd2 =40.95 
ｒ3 =  -102.8477            ｄ3 =  0.6973   
ｒ4 =    84.3099            ｄ4 =  6.0238   ｎd3 =1.834   νd3 =37.17 
ｒ5 =   -50.71              ｄ5 =  3.0298   ｎd4 =1.6445  νd4 =40.82 
ｒ6 =    40.6619                                                            。
【０２６１】
次に、本発明の条件（１）〜（２２）に関するパラメータの値を以下に示す。
【０２６２】
ν    Ｄ０      Ｄ１      Ｄ２  Ｄ１／Ｄ０  Ｄ２／Ｄ０
実施例１  81.54  80.3315   29.515    28.225   0.3674    0.351357
実施例２  94.99  71.576    34.591     5.947   0.4833    0.083087
実施例３  81.54  83.466    27.5157   32.93    0.3297    0.394532
実施例４  94.99  77.321    27.884    28.7476  0.3606    0.317796
実施例５  94.99  83.376    39.27      5.032   0.471     0.060353
実施例６  81.54  93.759    27.97     41.999   0.2983    0.447946
実施例７  81.54  79.803    29.1842   26.39512 0.3657    0.330753
実施例８  81.54  63.4755   26.8738   17.9844  0.4234    0.283328
実施例９  94.99  66.452    39.018     3.977   0.5872    0.059852
実施例10  94.99  61.04348  33.3848    6.17636 0.5469    0.101179
81.54 
実施例11  94.99  73.764    29.409    15.919   0.3987    0.2158
実施例12  94.99  75.158    28.665    15.941   0.3814    0.2121
81.54 
実施例13  94.99  75.2961   28.5586   12.5866  0.3793    0.1672
81.54 
実施例14  94.99  77.2194   29.1632   17.1602  0.3777    0.2222
実施例15  94.99  80.16533  32.48499  22.46977 0.4052    0.280292
。
【０２６３】
Ｇｎ１  Ｇｎ２  Ｇｎ１−Ｇｎ２  ＲＧ１  ＲＧ２  ＲＧ２／ＲＧ１
実施例１  1.834   1.651       0.18       -6.7337  -8.7211  1.30 
実施例２  1.834   1.48749     0.34651   -29.0283 -10.6379  0.366466517
実施例３  1.8061  1.48749     0.31861    -9.0363 -15.8132  1.749964034
実施例４  1.7859  1.48749     0.29841    -8.3465  -6.4314  0.77055053 
実施例５  1.8061  1.48749     0.31861    -9.5638  -9.6255  1.006451411
実施例６  1.8061  1.48749     0.31861    -7.2882  -9.2642  1.271123185
実施例７  1.834   1.48749     0.34651    -8.3019  -7.8311  0.94329009 
実施例８  1.834   1.48749     0.34651   -12.2497  -6.9892  0.570560912
実施例９  1.834   1.58913     0.24487    -9.4339  -9.9879  1.058724388
実施例10  1.7847  1.48749     0.29721    -4.9361  -4.9396  1.000709062
実施例11  1.834   1.48749     0.34651    -6.1723  -5.0915  0.824895096
実施例12  1.834   1.48749     0.34651    -5.2082  -6.0079  1.153546331
実施例13  1.834   1.618       0.216      -5.3778  -6.6576  1.237978355
実施例14  1.834   1.48749     0.34651    -4.6838  -5.936   1.267347026
実施例15  1.8061  1.58913     0.21697    -5.2346  -6.0829  1.162056318
。
【０２６４】
Ｆ１      Ｆ２      Ｆ３        Ｆ４
実施例１   8.4106  -12.34432    36.92251    −
実施例２  10.27707  -5.70948    25.89777    −
実施例３   8.09895 -14.90398    44.97245    −
実施例４   7.42656 -32.28803   125.13694    −
実施例５   9.56192  -7.20438    42.86603    −
実施例６   8.85362 -16.55933    43.88213    −
実施例７   8.82291 -11.82088    36.6101     −
実施例８   7.83829  -8.58263    27.99788    −
実施例９   8.4167   -7.1584     51.8905     −
実施例10   8.3359   -6.0365     29.9000     −
実施例11   7.674    -9.377      19.897    -34.485 
実施例12   7.483    -9.583      20.448    -36.545 
実施例13   7.3117   -8.0783     23.2622   -44.7475
実施例14   7.5280   -8.7998     18.9541   -32.9122
実施例15   8.7524  -11.8772     19.1899   -26.4805
。
【０２６５】
Ｆ１／Ｆ２      Ｆ３／Ｆ２    Ｆ４／Ｆ２
実施例１  -0.68          -2.99              −
実施例２  -1.800001051   -4.535924462       −
実施例３  -0.543408539   -3.017479224       −
実施例４  -0.230009697   -3.875644937       −
実施例５  -1.327237042   -5.949995697       −
実施例６  -0.534660521   -2.649994293       −
実施例７  -0.746383518   -3.097070607       −
実施例８  -0.91327367    -3.262156239       −
実施例９  -1.175779504   -7.24889651        −
実施例10  -1.380916094   -4.953201358       −
実施例11  -0.818385411   -2.1220          3.6777
実施例12  -0.780861943   -2.1338          3.8136
実施例13  -0.905103797   -2.8796          5.5392
実施例14  -0.855473988   -2.1539          3.7401
実施例15  -0.736907689   -1.6157          2.2295
。
【０２６６】
ＦＢ１  ＦＢ１／Ｄ１  νＰ    νＮ  νＰ−νＮ
実施例１  3.3779    0.1144      94.99   46.57   48.42 
実施例２  0.6984    0.0202      94.99   52.32   42.67 
実施例３  1.499     0.0545      81.54   40.82   40.72 
実施例４  1.6504    0.0592      94.99   52.32   42.67 
実施例５  0.6986    0.0178      94.99   40.92   54.07 
実施例６  1.5012    0.0537      81.54   40.54   41.00 
実施例７  5.2815    0.1810      94.99   46.57   48.42 
実施例８  1.9017    0.0708      94.99   42.72   52.27 
実施例９  1.123     0.0288      94.99   46.57   48.42 
実施例10  2.792     0.0836      94.99   46.57   48.42 
実施例11  5.297     0.1801      94.99   37.16   57.83 
実施例12  5.886     0.2053      94.99   37.16   57.83 
実施例13  1.1925    0.0418      94.99   37.16   57.83 
実施例14  6.293     0.2158      94.99   37.16   57.83 
実施例15  5.9917    0.1844      94.99   37.16   57.83 
。
【０２６７】
Ｆ４      Ｆ４ｂ  ｜Ｆ４ｂ／Ｆ４｜
実施例１    −          −          −
実施例２    −          −          −
実施例３    −          −          −
実施例４    −          −          −
実施例５    −          −          −
実施例６    −          −          −
実施例７    −          −          −
実施例８    −          −          −
実施例９    −          −          −
実施例10    −          −          −
実施例11  -34.485    -26.0487     0.7554
実施例12  -36.545    -25.135      0.6878
実施例13  -44.7475   -73.7363     1.6478
実施例14  -32.9122   -23.9084     0.7264
実施例15  -26.4805   -20.2158     0.7634
。
【０２６８】
ν４ｎ  ν４ｐ  ν４ｎ−ν４ｐ  Ｎ４ｐ
実施例１    −      −        −            −
実施例２    −      −        −            −
実施例３    −      −        −            −
実施例４    −      −        −            −
実施例５    −      −        −            −
実施例６    −      −        −            −
実施例７    −      −        −            −
実施例８    −      −        −            −
実施例９    −      −        −            −
実施例10    −      −        −            −
実施例11   70.23   26.52     43.71         1.7618 
実施例12   70.23   26.52     43.71         1.7618 
実施例13   64.14   25.42     38.72         1.8052 
実施例14   70.23   26.52     43.71         1.7618 
実施例15   70.23   26.52     43.71         1.76182
。
【０２６９】
ＷＤ    ＷＤ／Ｆ１    Ｎ２Ｐ  ν２Ｐ  ν２Ｎ  ν２Ｎ−ν２Ｐ
実施例１  1.2514  0.15          1.81    25.42   58.9      33.48 
実施例２  1.2558  0.122194361   1.80518 −      −        −
実施例３  1.2122  0.149673723   1.80518 25.42   64.14     38.72 
実施例４  0.9086  0.122344666   1.80518 25.42   59.84     34.42 
実施例５  0.8945  0.093548158   1.834   −      −        −
実施例６  1.2393  0.139976642   1.80518 25.42   64.14     38.72 
実施例７  1.3286  0.150585238   1.80518 25.42   58.9      33.48 
実施例８  1.0793  0.137695849   1.80518 25.42   58.9      33.48 
実施例９  1.0976  0.130407404   −      −      −        −
実施例10  1.2112  0.145299248   −      −      −        −
実施例11  1.236   0.161063331   1.8052  25.42   52.32     26.9
実施例12  1.191   0.159160764   1.8052  25.42   52.32     26.9
実施例13  0.8165  0.111670337   1.8052  25.42   52.32     26.9
実施例14  1.0467  0.139040914   1.8052  25.42   52.32     26.9
実施例15  0.8747  0.099938303   1.80518 25.42   52.32     26.9
。
【０２７０】
ν３ｐ  ν３ｎ  ν３ｐ−ν３ｎ  ＮＡ      ＮＡ      ＮＡ  
（最小）  （中間）  （最大）
実施例１  70.23   33.52       36.71       0.25      0.4       0.6 
実施例２  81.54   33.52       48.02       0.25      0.4       0.55
実施例３  70.23   33.52       36.71       0.25      0.4       0.6 
実施例４  81.54   40.92       40.62       0.25      0.4       0.55
実施例５  81.54   33.52       48.02       0.25      0.4       0.55
実施例６  70.23   33.52       36.71       0.25      0.4       0.6 
実施例７  81.54   33.52       48.02       0.25      0.4       0.6 
実施例８  81.54   33.52       48.02       0.25      0.4       0.6 
実施例９  81.54   26.52       55.02       0.25      0.4       0.7 
実施例10  81.54   26.52       55.02       0.25      0.4       0.65
実施例11  81.54   26.52       55.02       0.25      0.4       0.65
実施例12  81.54   26.52       55.02       0.25      0.4       0.65
実施例13  94.99   26.29       68.7        0.4       0.65      0.77
実施例14  81.54   26.52       55.02       0.25      0.4       0.7 
実施例15  81.54   26.52       55.02       0.25      0.4       0.8 
。
【０２７１】
Ｌ（低倍）    Ｌ（中間）    Ｌ（高倍）
実施例１    65.67566      80.4431       81.752938 
実施例２    74.39488      75.172        73.00223
実施例３    67.09464      83.98958      84.8487 
実施例４    98.0052       95.3898       78.4004 
実施例５    93.1636       84.4413       90.06039
実施例６    67.86056      95.1687       90.96281
実施例７    67.21214      81.515        81.09949
実施例８    55.95608      64.72488      64.87348
実施例９    92.7305       85.71928      67.71988
実施例10    69.5227       69.2153       62.42469
実施例11    69.95         80.17         73.81 
実施例12    68.94         79.88         76.52 
実施例13    80.80         81.17         75.47 
実施例14    68.21         80.37         78.44 
実施例15    72.86544      81.24903      81.21003
。
【０２７２】
Ｅ１      Ｅ（中間）  Ｅ２      ｜Ｅ１−Ｅ２｜
実施例１  -543.049      −       -206.882       −
実施例２ -1081.3        −       -227.92        −
実施例３  -588.491      −       -224.093       −
実施例４ -1584.8        −       -300.8         −
実施例５  6536.87       −       -206.198       −
実施例６  -436.29       −       -187.604       −
実施例７  -511.019      −       -196.398       −
実施例８  -525.469      −       -251.932       −
実施例９  -717.54    -143.78      -68.03        −
実施例10  -257.33    -138.604     -79.8085      −
実施例11   -69.7609   -65.3209    -66.6227     3.1382 
実施例12   -66.7221   -66.7159    -63.6663     3.0558 
実施例13   -58.5603   -57.8142    -54.8354     3.7249 
実施例14   -62.8275   -63.3531    -52.9404     9.8871 
実施例15   -60.4175   -54.4781    -54.7254     5.6921 
。
【０２７３】
以上の本発明の顕微鏡ズーム対物レンズは、例えば次のように構成することができる。
【０２７４】
〔１〕  物体から順に、正のパワーを持つ第１レンズ群、負のパワーを持つ第２レンズ群、正のパワーを持つ第３レンズ群の少なくとも３つのレンズ群で構成され、低倍側から高倍側へ変倍する際に、前記第１レンズ群と前記第２レンズ群の間隔が大きくなり、前記第２レンズ群と前記第３レンズ群の間隔が小さくなるように、前記第２レンズ群と前記第３レンズ群が光軸上を移動し、第１レンズ群中に正レンズと負レンズで構成された正のパワーを持つ接合レンズを少なくとも１つ備え、前記正レンズのアッベ数をνとしたとき、前記正レンズが以下の条件（１）を満足することを特徴とする顕微鏡ズーム対物レンズ。
【０２７５】
ν＞８０                                              ・・・（１）
〔２〕  物体から順に、正のパワーを持つ第１レンズ群、負のパワーを持つ第２レンズ群、正のパワーを持つ第３レンズ群の少なくとも３つのレンズ群で構成され、低倍側から高倍側へ変倍する際に、前記第１レンズ群と前記第２レンズ群の間隔が大きくなり、前記第２レンズ群と前記第３レンズ群の間隔が小さくなるように、前記第２レンズ群と前記第３レンズ群が光軸上を移動し、前記第２レンズ群は２つのレンズ群を少なくとも有し、該２つのレンズ群は互いに凹面を向けて構成されたことを特徴とする顕微鏡ズーム対物レンズ。
【０２７６】
〔３〕  物体から順に、正のパワーを持つ第１レンズ群、負のパワーを持つ第２レンズ群、正のパワーを持つ第３レンズ群の少なくとも３つのレンズ群で構成され、低倍側から高倍側へ変倍する際に、前記第１レンズ群と前記第２レンズ群の間隔が大きくなり、前記第２レンズ群と前記第３レンズ群の間隔が小さくなるように、前記第２レンズ群と前記第３レンズ群が光軸上を移動し、前記第３レンズ群は２つの以上のレンズ群で構成され、正レンズと負レンズで構成された少なくとも１つの接合レンズを備えたことを特徴とする顕微鏡ズーム対物レンズ。
【０２７７】
〔４〕  物体から順に、正のパワーを持つ第１レンズ群、負のパワーを持つ第２レンズ群、正のパワーを持つ第３レンズ群の少なくとも３つのレンズ群で構成され、低倍側から高倍側へ変倍する際に、前記第１レンズ群と前記第２レンズ群の間隔が大きくなり、前記第２レンズ群と前記第３レンズ群の間隔が小さくなるように、前記第２レンズ群と前記第３レンズ群が光軸上を移動し、前記第１レンズ群の最も物体側のレンズ群が物体側に凹面を向けた接合メニスカスレンズであって、前記接合レンズは、物体側から凹レンズ、凸レンズで構成されたことを特徴とする顕微鏡ズーム対物レンズ。
【０２７８】
〔５〕  物体から順に、正のパワーを持つ第１レンズ群、負のパワーを持つ第２レンズ群、正のパワーを持つ第３レンズ群の少なくとも３つのレンズ群で構成され、前記第１レンズ群は複数のレンズ群で構成され、低倍側から高倍側へ変倍する際に、前記第１レンズ群と前記第２レンズ群の間隔が大きくなり、前記第２レンズ群と前記第３レンズ群の間隔が小さくなるように前記第２レンズ群と前記第３レンズ群が光軸上を移動し、以下の条件（２）、（３）を満足することを特徴とする顕微鏡ズーム対物レンズ。
【０２７９】
０．２５≦Ｄ１／Ｄ０≦０．７                          ・・・（２）
０．０５≦Ｄ２／Ｄ０≦０．５                          ・・・（３）
ただし、Ｄ１は、前記第１レンズ群の全長、
Ｄ２は、前記第２レンズ群の低倍側から高倍側への移動量、
Ｄ０は、高倍側の顕微鏡ズーム対物レンズの全長、
である。
【０２８０】
〔６〕  第４レンズ群をさらに備え、前記第１レンズ群は接合レンズを含み、低倍側から高倍側へ変倍する際に、前記第４レンズ群も光軸に沿って移動し、次の条件（２’），（３’）を満足することを特徴とする上記５記載の顕微鏡ズーム対物レンズ。
【０２８１】
０．２５≦Ｄ１／Ｄ０≦０．５                        ・・・（２’）
０．１５≦Ｄ２／Ｄ０≦０．３                        ・・・（３’）
〔７〕  前記第１レンズ群に少なくとも１つの非球面を設け、該非球面は凸面に設けられ、次の条件（２），（３" ）を満足することを特徴とする上記５記載の顕微鏡ズーム対物レンズ。
【０２８２】
０．２５≦Ｄ１／Ｄ０≦０．７                          ・・・（２）
０．０５≦Ｄ２／Ｄ０≦０．３５                      ・・・（３”）
〔８〕  前記第１レンズ群の物体側に凹面を向けた前記接合メニスカスレンズの最も物体側の曲率半径をＲＧ１、前記接合メニスカスレンズの最も第２レンズ群側の曲率半径をＲＧ２、凹レンズの屈折率をＧｎ１、凸レンズの屈折率をＧｎ２としたとき、以下の条件（４）、（５）を満足することを特徴とする上記４記載の顕微鏡ズーム対物レンズ。
【０２８３】
Ｇｎ１−Ｇｎ２≧０．１５                              ・・・（４）
０．３≦ＲＧ２／ＲＧ１≦２. ０                        ・・・（５）
〔９〕  前記顕微鏡ズーム対物レンズは３群構成であって、前記第１レンズ群の物体から軸上光線高が最も高くなるレンズ群までを前側第１レンズ群、軸上光線高が最も高いレンズ群から最も第２レンズ群側までのレンズ群を後側第１レンズ群とし、前側第１レンズ群は、物体側から順に、物体側に凹面を向けた接合メニスカスレンズ、正のパワーを持つ単レンズ、凹レンズと凸レンズで構成された接合レンズ、正のパワーを持つ凸レンズの少なくとも４つのレンズ群で構成され、後側第１レンズ群中に、物体側から凹レンズと凸レンズで接合された正のパワーの接合レンズと、第２レンズ群側に凹面を向けたメニスカスレンズとを少なくとも１つ備えたことを特徴とする上記１から４の何れか１項記載の顕微鏡ズーム対物レンズ。
【０２８４】
〔１０〕  前記第１レンズ群の焦点距離をＦ１、前記第２レンズ群の焦点距離をＦ２としたとき、以下の条件（６）を満足することを特徴とする上記１から４の何れか１項記載の顕微鏡ズーム対物レンズ。
【０２８５】
−２．５≦Ｆ１／Ｆ２≦―０．２                        ・・・（６）
〔１１〕  前記第２レンズ群の焦点距離をＦ２、前記第３レンズ群の焦点距離をＦ３としたとき、以下の条件（７）を満足することを特徴とする上記１０記載の顕微鏡ズーム対物レンズ。
【０２８６】
−７．５≦Ｆ３／Ｆ２≦−１．５                        ・・・（７）
〔１２〕  前記顕微鏡ズーム対物レンズは３群構成であって、以下の条件（７' ）を満足することを特徴とする上記１１記載の顕微鏡ズーム対物レンズ。
【０２８７】
−６．５≦Ｆ３／Ｆ２≦−２．０                      ・・・（７’）
〔１３〕  前記顕微鏡ズーム対物レンズは３群構成であって、低倍から高倍へと変倍する際に、作動距離が短くなるように、前記第１レンズ群は前記第２レンズ群とは反対方向へ光軸に沿って移動することを特徴とする上記１から４の何れか１項記載の顕微鏡ズーム対物レンズ。
【０２８８】
〔１４〕  以下の条件（８）を満足することを特徴とする上記５記載の顕微鏡ズーム対物レンズ。
【０２８９】
０＜ＦＢ1 ／Ｄ1 ≦０．４                              ・・・（８）
ただし、ＦＢ1 は、前記第１レンズ群の前記第２レンズ群側に最も近いレンズ面から、前記第１レンズ群の後側焦点位置までの距離である。
【０２９０】
〔１５〕  前記顕微鏡ズーム対物レンズは４群構成であって、第２レンズ群の焦点距離をＦ２、第３レンズ群の焦点距離をＦ３、第４レンズ群の焦点距離をＦ４としたときに、以下の条件（９）、（１０）を満足することを特徴とする上記５又は１４記載の顕微鏡ズーム対物レンズ。
【０２９１】
−３≦Ｆ３／Ｆ２≦−１．５                            ・・・（９）
３≦Ｆ４／Ｆ２≦６                                  ・・・（１０）
〔１６〕  前記第１レンズ群の最も物体側のレンズ群は、物体側に凹面を向けた負レンズと正レンズの接合メニスカスレンズで構成されたことを特徴とする上記１５記載の顕微鏡ズーム対物レンズ。
【０２９２】
〔１７〕  前記第１レンズ群は複数の接合レンズ群を備えており、その接合レンズ群の正レンズのアッベ数をνＰ、接合レンズ群の負レンズのアッベ数をνＮとするとき、第１レンズ群中の何れかの接合レンズ群が以下の条件（１１）を満足することを特徴とする上記１６記載の顕微鏡ズーム対物レンズ。
【０２９３】
νＰ−νＮ≧３５                                    ・・・（１１）
〔１８〕  前記第２レンズ群は、互いに凹面を向けた少なくとも２つのレンズ群で構成されたことを特徴とする上記１５記載の顕微鏡ズーム対物レンズ。
【０２９４】
〔１９〕  前記第４レンズ群は、少なくとも第３レンズ群側に凸面を向けた正レンズと負レンズの接合メニスカスレンズと、第３レンズ群側に凹面を向けた負のパワーを持つレンズ群とで構成されたことを特徴とする上記１５記載の顕微鏡ズーム対物レンズ。
【０２９５】
〔２０〕  前記第４レンズ群は、第３レンズ群側から、正レンズと負レンズで構成された接合メニスカスレンズと、両凹レンズと正メニスカスレンズで構成された接合負レンズとを備え、以下の条件（１２）、（１３）、（１４）を満足することを特徴とする上記１９記載の顕微鏡ズーム対物レンズ。
【０２９６】
０．５≦｜Ｆ４ｂ／Ｆ４｜≦２                        ・・・（１２）
ν４ｎ−ν４ｐ≧２５                                ・・・（１３）
Ｎ４ｐ≧１．６８                                    ・・・（１４）
ただし、Ｆ４は、前記第４レンズ群の焦点距離、
Ｆ４ｂは、前記接合負レンズの焦点距離、
ν４ｎは、前記接合負レンズの両凹レンズのアッベ数、
ν４ｐは、前記接合負レンズの正メニスカスレンズのアッベ数、
Ｎ４ｐは、前記接合負レンズの正メニスカスレンズの屈折率、
である。
【０２９７】
〔２１〕  前記第１レンズ群の後側焦点位置近傍に、開口絞りを備えていることを特徴とする上記１から５、１４の何れか１項記載の顕微鏡ズーム対物レンズ。
【０２９８】
〔２２〕  前記第１レンズ群と物体の間隔をＷＤ、前記第１レンズ群の焦点距離をＦ1 としたとき、以下の条件（１５）を満足することを特徴とする上記１から５、１４、１５の何れか１項記載の顕微鏡ズーム対物レンズ。
【０２９９】
ＷＤ≦０．２５Ｆ1                                   ・・・（１５）
〔２３〕  以下の条件（１５' ）を満足することを特徴とする上記１から４の何れか１項記載の顕微鏡ズーム対物レンズ。
【０３００】
ＷＤ≦０．２Ｆ１                                  ・・・（１５' ）
〔２４〕  前記第２レンズ群は、少なくとも１つの正レンズと負レンズで構成された接合メニスカスレンズを備え、前記正レンズの屈折率をＮ２Ｐ、アッベ数をν２Ｐ、前記負レンズのアッベ数をν２Ｎとしたとき、以下の条件（１６）、（１７）を満足することを特徴とする上記１から４、１８の何れか１項記載の顕微鏡ズーム対物レンズ。
【０３０１】
Ｎ２Ｐ≧１．６５                                    ・・・（１６）
ν２Ｎ−ν２Ｐ≧２０                                ・・・（１７）
〔２５〕  以下の条件（１６）、（１７' ）を満足する上記１から４の何れか１項記載の顕微鏡ズーム対物レンズ。
【０３０２】
Ｎ２Ｐ≧１．６５                                    ・・・（１６）
ν２Ｎ−ν２Ｐ≧２５                              ・・・（１７’）
〔２６〕  以下の条件（１６' ）、（１７）を満足する上記１８記載の顕微鏡ズーム対物レンズ。
【０３０３】
Ｎ２Ｐ≧１．６８                                  ・・・（１６’）
ν２Ｎ−ν２Ｐ≧２０                                ・・・（１７）
〔２６〕  前記第３レンズ群のアッベ数が最も高い正レンズのアッベ数をν３ｐ、アッベ数が最も低い負レンズのアッベ数をν３ｎとしたとき、以下の条件（１８）を満足することを特徴とする上記１から４、１５の何れか１項記載の顕微鏡ズーム対物レンズ。
【０３０４】
ν３ｐ−ν３ｎ≧３５                                ・・・（１８）
〔２７〕  変倍比が３以上であることを特徴とする上記１から５、１４、１５の何れか１項記載の顕微鏡ズーム対物レンズ。
【０３０５】
〔２８〕  物体から順に、正のパワーを持つ第１レンズ群、負のパワーを持つ第２レンズ群、正のパワーを持つ第３レンズ群の少なくとも３つのレンズ群で構成され、少なくとも１つの非球面を備え、以下の条件（１９）を満足することを特徴とする顕微鏡ズーム対物レンズ。
【０３０６】
ＮＡ≧０．５                                        ・・・（１９）
ただし、ＮＡは高倍側の顕微鏡ズーム対物レンズの開口数である。
【０３０７】
〔２９〕  前記第１レンズ群又は第３レンズ群中に、少なくとも１つの非球面を備えたことを特徴とする上記５又は１４記載の顕微鏡ズーム対物レンズ。
【０３０８】
〔３０〕  前記顕微鏡ズーム対物レンズの作動距離をＷＤとしたとき、以下の条件（２０）を満足することを特徴とする上記１〜５、１４、１５、２８、２９の何れか１項記載の顕微鏡ズーム対物レンズ。
【０３０９】
０．５≦ＷＤ≦１．５  （ｍｍ）                      ・・・（２０）
〔３１〕  前記顕微鏡ズーム対物レンズの最も像側にあるレンズ群の像側に最も近い面から物体までの距離をＬとするとき、以下の条件（２１）を満足することを特徴とする上記１〜５、１４、１５、２８、２９の何れか１項記載の顕微鏡ズーム対物レンズ。
【０３１０】
５５≦Ｌ≦１１０  （ｍｍ）                          ・・・（２１）
〔３２〕  前記顕微鏡ズーム対物レンズは４群構成であって、最も低倍側での射出瞳位置をＥ１、最も高倍側での射出瞳位置をＥ２としたとき、以下の条件（２２）を満足することを特徴とする上記１〜５、１４、１５、２８、２９の何れか１項記載の顕微鏡ズーム対物レンズ。
【０３１１】
｜Ｅ１−Ｅ２｜≦１５  （ｍｍ）                      ・・・（２２）
〔３３〕  非球面が設けられたレンズ面の面形状が、光軸から離れるに従って曲率半径が大きくなるような面形状であることを特徴とする上記５又は１４記載の顕微鏡ズーム対物レンズ。
【０３１２】
〔３４〕  前記第２レンズ群は２つのレンズ群を少なくとも有し、該２つのレンズ群は互いに凹面を向けて構成されていることを特徴とする上記３３記載の顕微鏡ズーム対物レンズ。
【０３１３】
〔３５〕  条件（１６）、（１７）を満足することを特徴とする上記３３記載の顕微鏡ズーム対物レンズ。
【０３１４】
〔３６〕  前記第４レンズ群を備え、該第４レンズ群は、第３レンズ群側に凸面を向けた正レンズと負レンズの接合メニスカスレンズと、第３レンズ群側に凹面を向けたレンズ群で少なくとも構成され、条件（１２）、（１３）を満足することを特徴とする上記３３記載の顕微鏡ズーム対物レンズ。
【０３１５】
以上の説明から明らかなように、本発明によると、５５ｍｍから１１０ｍｍ程度の長さで、３つのレンズ群で、低倍から高倍にわたって収差性能に優れた１０倍から４０倍、開口数が０．６の顕微鏡ズーム対物レンズを提供することができる。
【０３１６】
また、本発明によると、物体側から、正、負、正、負のパワーを持つ４つのレンズ群で、全長が８０ｍｍ程度とコンパクトでありながら、従来にない変倍比が４〜5 倍と高変倍で高開口数を備え、低倍から高倍にわたって収差性能に優れた顕微鏡ズーム対物レンズを提供することができる。しかも、射出瞳が略一定の位置に設定されているので、瞳の変動による周辺減光やシステム性の欠点がなく、システム性に優れた顕微鏡ズーム対物レンズが提供できる。
【図面の簡単な説明】
【０３１７】
【図１】本発明の顕微鏡ズーム対物レンズの実施例１の構成と光路を示す断面図である。
【図２】本発明の顕微鏡ズーム対物レンズの実施例２の図１と同様の断面図である。
【図３】本発明の顕微鏡ズーム対物レンズの実施例３の図１と同様の断面図である。
【図４】本発明の顕微鏡ズーム対物レンズの実施例４の図１と同様の断面図である。
【図５】本発明の顕微鏡ズーム対物レンズの実施例５の図１と同様の断面図である。
【図６】本発明の顕微鏡ズーム対物レンズの実施例６の図１と同様の断面図である。
【図７】本発明の顕微鏡ズーム対物レンズの実施例７の図１と同様の断面図である。
【図８】本発明の顕微鏡ズーム対物レンズの実施例８の図１と同様の断面図である。
【図９】本発明の顕微鏡ズーム対物レンズの実施例９の図１と同様の断面図である。
【図１０】本発明の顕微鏡ズーム対物レンズの実施例１０の図１と同様の断面図である。
【図１１】本発明の顕微鏡ズーム対物レンズの実施例１１の図１と同様の断面図である。
【図１２】本発明の顕微鏡ズーム対物レンズの実施例１２の図１と同様の断面図である。
【図１３】本発明の顕微鏡ズーム対物レンズの実施例１３の図１と同様の断面図である。
【図１４】本発明の顕微鏡ズーム対物レンズの実施例１４の図１と同様の断面図である。
【図１５】本発明の顕微鏡ズーム対物レンズの実施例１５の図１と同様の断面図である。
【図１６】本発明の実施例１〜１５の顕微鏡ズーム対物レンズの後方に配置する結像レンズの構成と光路を示す断面図である。
【図１７】実施例１の収差図である。
【図１８】実施例２の収差図である。
【図１９】実施例３の収差図である。
【図２０】実施例４の収差図である。
【図２１】実施例５の収差図である。
【図２２】実施例６の収差図である。
【図２３】実施例７の収差図である。
【図２４】実施例８の収差図である。
【図２５】実施例９の収差図である。
【図２６】実施例１０の収差図である。
【図２７】実施例１１の収差図である。
【図２８】実施例１２の収差図である。
【図２９】実施例１３の収差図である。
【図３０】実施例１４の収差図である。
【図３１】実施例１５の収差図である。
【符号の説明】
【０３１８】
Ｇ１…第１レンズ群
Ｇ２…第２レンズ群
Ｇ３…第３レンズ群
Ｇ５…第３レンズ群
Ｓ  …開口絞り
【図１】
0004576402.tif 000002
【図２】
0004576402.tif 000003
【図３】
0004576402.tif 000004
【図４】
0004576402.tif 000005
【図５】
0004576402.tif 000006
【図６】
0004576402.tif 000007
【図７】
0004576402.tif 000008
【図８】
0004576402.tif 000009
【図９】
0004576402.tif 000010
【図１０】
0004576402.tif 000011
【図１１】
0004576402.tif 000012
【図１２】
0004576402.tif 000013
【図１３】
0004576402.tif 000014
【図１４】
0004576402.tif 000015
【図１５】
0004576402.tif 000016
【図１６】
0004576402.tif 000017
【図１７】
0004576402.tif 000018
【図１８】
0004576402.tif 000019
【図１９】
0004576402.tif 000020
【図２０】
0004576402.tif 000021
【図２１】
0004576402.tif 000022
【図２２】
0004576402.tif 000023
【図２３】
0004576402.tif 000024
【図２４】
0004576402.tif 000025
【図２５】
0004576402.tif 000026
【図２６】
0004576402.tif 000027
【図２７】
0004576402.tif 000028
【図２８】
0004576402.tif 000029
【図２９】
0004576402.tif 000030
【図３０】
0004576402.tif 000031
【図３１】
0004576402.tif 000032